(57)【要約】      （修正有）【課題】別体に構成された放送受信用のディスプレイ装置と放送受信用の信号処理モジュールとを通信ケーブルを介して接続した放送受信装置を提供する。【解決手段】映像を表示するディスプレイ部、前記ディスプレイ部を部分的に含むカバー、前記カバー外部から信号を送受信する第１の信号接続部、及び前記第１の信号接続部から受信した信号を制御するタイミング制御部を有するディスプレイ装置と、前記ディスプレイ装置と信号を送受信する第２の信号接続部、外部から入力される信号を処理する信号処理部、及び前記信号処理部を制御する制御部を有するポータブルな信号処理モジュールと、を備える放送受信装置。【選択図】図２
2013138426.tif 000002
【特許請求の範囲】
【請求項１】
映像を表示するためのディスプレイ部と、
前記ディスプレイ部を部分的に含むカバーと、
前記カバーの外部に配置され、前記ディスプレイ部に表示する信号を処理する外部機器であるポータブルな信号処理モジュールを接続させて、該信号処理モジュールが処理した信号を受信する少なくとも一つの信号接続部と、
前記少なくとも一つの信号接続部を介して受信された信号の表示タイミングを制御するタイミング制御部と、
を備える、放送受信用のディスプレイ装置。
【請求項２】
前記ディスプレイ装置で使われる電源を前記信号処理モジュールから受けるための第１の電源接続部をさらに備える、請求項１に記載の放送受信用のディスプレイ装置。
【請求項３】
前記信号処理モジュールに電源を供給するための少なくとも一つの第２の電源接続部をさらに備える、請求項１に記載の放送受信用のディスプレイ装置。
【請求項４】
前記信号接続部、第１の電源接続部及び第２の電源接続部は、ＵＳＢ端子、ＨＤＭＩ端子、ＬＡＮ端子、ＳＣＡＲＴ端子、ＲＳ２３２端子、ＯＰＴＩＣＡＬ端子、ＲＦ送受信部の少なくとも一つを含むことを特徴とする、請求項１に記載の放送受信用のディスプレイ装置。
【請求項５】
少なくとも一つの信号受信部をさらに備える、請求項１に記載の放送受信用のディスプレイ装置。
【請求項６】
少なくとも一つの信号受信部を介して受信された信号を、前記信号接続部を介して前記信号処理モジュールに送信することを特徴とする、請求項５に記載の放送受信用のディスプレイ装置。
【請求項７】
前記第２の電源接続部に電源を供給する電源供給部をさらに備える、請求項３に記載の放送受信用のディスプレイ装置。
【請求項８】
前記電源供給部は、複数の第２の電源接続部へ異なる電圧を供給することを特徴とする、請求項７に記載の放送受信用のディスプレイ装置。
【請求項９】
外部から入力される信号を処理する信号処理部と、
前記信号処理部を含むケースと、
前記ケースの外部に配置されているディスプレイ装置を接続させて、該ディスプレイ装置と信号を送受信する少なくとも一つの信号接続部と、
前記信号処理部を制御する制御部と、
を備える、ポータブルな放送受信用の信号処理モジュール。
【請求項１０】
複数のコンテンツを圧縮したデータ信号を、前記一つの信号接続部を介して前記ディスプレイ装置に伝送することを特徴とする、請求項９に記載のポータブルな放送受信用の信号処理モジュール。
【請求項１１】
複数のコンテンツはそれぞれ、前記複数の信号接続部を介して前記ディスプレイ装置に伝送され、
前記ディスプレイ装置は、受信した複数のコンテンツをマルチビュー出力することを特徴とする、請求項９に記載のポータブルな放送受信用の信号処理モジュール。
【請求項１２】
前記複数のコンテンツをマルチプクシングするマックス（ＭＵＸ）をさらに備え、前記マルチプクシングしたデータ信号を、前記一つの信号接続部を介してディスプレイ装置に伝送することを特徴とする、請求項９に記載のポータブルな放送受信用の信号処理モジュール。
【請求項１３】
映像を表示するためのディスプレイ部、前記ディスプレイ部を部分的に含むカバー、前記カバーの外部から信号を送受信する第１の信号接続部、及び前記第１の信号接続部から受信した信号の表示タイミングを制御するタイミング制御部を有するディスプレイ装置と、
前記ディスプレイ装置と信号を送受信する第２の信号接続部、外部から入力される信号を処理する信号処理部、及び前記信号処理部を制御する制御部を有するポータブルな信号処理モジュールと、
を備える、放送受信装置。
【請求項１４】
前記ディスプレイ装置は、前記少なくとも一つの第１の信号受信部を介して受信された信号を処理する第１の信号処理部をさらに備え、
前記信号処理モジュールの信号処理部は、前記第１の信号処理部のハードウェア及びソフトウェアをアップグレードしたものであることを特徴とする、請求項１３に記載の放送受信装置。
【請求項１５】
放送を受信して表示する放送受信方法であって、
ディスプレイ装置のカバーの外部に配置されたポータブルな信号処理モジュールにより信号を処理することと、
前記信号処理モジュールにより処理された信号を、前記信号処理モジュールのケースの外部に配置されたディスプレイ装置に少なくとも一つの信号接続部を介して伝送することと、
前記ディスプレイ装置に受信された信号の表示タイミングを、ディスプレイ装置のタイミング制御部により制御することと、
前記タイミング制御された信号をディスプレイ装置のディスプレイ部に表示することと、
を含む、放送受信方法。
【発明の詳細な説明】
【技術分野】
【０００１】
本発明は、放送受信装置及び放送受信方法に係り、特に、映像や音声出力装置を有するディスプレイ装置とディスプレイ装置で表示する信号を処理する信号処理モジュールとを別体として構成し、両者を一つのケーブルで着脱可能に接続することによって、アフターサービスやアップグレードを容易にさせた、放送受信用のディスプレイ装置、放送受信用の信号処理モジュール、これらを結合した放送受信装置及び放送受信方法に関する。
【背景技術】
【０００２】
デジタルＴＶやデジタル放送受信部を内蔵しているディスプレイ装置は、主に、映像及び音声信号処理を担当する信号処理部、スクリーンを含むパネル部、音声を出力するスピーカ部、及び電源を供給する電源供給部で構成される。
【０００３】
特に、ＬＣＤ（Ｌｉｑｕｉｄ  Ｃｒｉｓｔａｌ  Ｄｉｓｐｌａｙ）のような平板パネルのディスプレイ装置は、パネルの背部に、信号処理部、電源供給部、スピーカ、各構成部品を接続するコネクタ及びケーブル、及び前面パネル部以外の各部品を覆うカバー（シャーシを含む）を備えている。
【０００４】
従来のディスプレイ装置は、メーカーにより設計され、工場から出荷されて消費者に伝達された後には、新しい放送規格、新規フォーマットに圧縮された動映像、例えば、ウェブブラウザのような新規機能を有するようにアップグレードすることは不可能である。
【０００５】
そのため、従来のディスプレイ装置は、機能及び性能をアップグレードするためには、信号処理を担当する信号処理部を交換しなければならない。信号処理部を交換する際には、使用者がカバーを分離、装着しなければならないなどの面倒さがあり、さらには使用者が高圧電源に露出される極めて危険な状況も生じうる。
【０００６】
このような従来のディスプレイ装置は、アップグレード時や故障の修理時にその大きさが大きいため取り扱い難く、メーカーの訪問アフターサービスに頼るのが殆どであった。しかしながら、このようにアフターサービス要員が訪問すると、メンテナンスコストの増加につながる。
【発明の概要】
【発明が解決しようとする課題】
【０００７】
本発明の目的は、上記問題を解決するためのもので、低コストで容易にアフターサービスやアップグレードが可能な、放送受信用のディスプレイ装置、放送受信用の信号処理モジュール、放送受信装置及び放送受信方法を提供することにある。
【０００８】
本発明の他の目的は、使用者が直接アフターサービスやアップグレードできる放送受信用のディスプレイ装置、放送受信用の信号処理モジュール、放送受信装置及び放送受信方法を提供することにある。
【０００９】
本発明のさらに他の目的は、スリム（ｓｌｉｍ）な放送受信用のディスプレイ装置、放送受信用の信号処理モジュール、放送受信装置及び放送受信方法を提供することにある。
【００１０】
本発明のさらに他の目的は、運搬や移動が便利な放送受信用のディスプレイ装置、放送受信用の信号処理モジュール、放送受信装置及び放送受信方法を提供することにある。
【００１１】
本発明のさらに他の目的は、ディスプレイ装置と信号処理モジュールとの間に電源及び信号を一つのケーブルで授受できるようにすることによってデザインをシンプルにした放送受信用のディスプレイ装置、放送受信用の信号処理モジュール、放送受信装置及び放送受信方法を提供することにある。
【００１２】
本発明のさらに他の目的は、信号処理モジュールで複数のコンテンツのデータ信号を処理してディスプレイ装置に伝達することによってマルチビュー（Ｍｕｌｔｉ  Ｖｉｅｗ）出力を可能にした放送受信用のディスプレイ装置、放送受信用の信号処理モジュール、放送受信装置及び放送受信方法を提供することにある。
【００１３】
本発明のさらに他の目的は、ディスプレイ装置及び信号処理モジュールがそれぞれ少なくとも一つのチューナーを有する放送受信用のディスプレイ装置、放送受信用の信号処理モジュール、放送受信装置及び放送受信方法を提供することにある。
【課題を解決するための手段】
【００１４】
上述した本発明の課題を解決するための放送受信用のディスプレイ装置は、映像を表示するディスプレイ部と、前記ディスプレイ部を部分的に含むカバーと、前記カバーの外部に配置され、前記ディスプレイ部に表示する信号を処理する外部機器であるポータブルな信号処理モジュールを接続させて、前記信号処理モジュールが処理した信号を受信する少なくとも一つの信号接続部と、前記少なくとも一つの信号接続部を介して受信された信号の表示タイミングを制御するタイミング制御部と、を備えて構成することができる。
【００１５】
前記ディスプレイ装置は、信号処理モジュールから前記ディスプレイ装置が使用する電源を受けるための第１の電源接続部をさらに備えることができる。前記ディスプレイ装置は、信号処理モジュールに電源を供給するための少なくとも一つの第２の電源接続部をさらに備えることができる。前記ディスプレイ装置の信号接続部は一つのケーブルを含み、ディスプレイ装置または信号処理モジュールに着脱可能であるとよい。
【００１６】
前記ディスプレイ装置の前記信号接続部及び第１の電源接続部は一つのケーブルを含み、ディスプレイ装置または信号処理モジュールに着脱可能であるとよい。前記ディスプレイ装置の信号接続部及び第２の電源接続部は一つのケーブルを含み、ディスプレイ装置または信号処理モジュールに着脱可能であるとよい。
【００１７】
前記ディスプレイ装置の信号接続部は、ＵＳＢ端子、ＨＤＭＩ端子、ＬＡＮ端子、ＳＣＡＲＴ端子、ＲＳ２３２端子、ＯＰＴＩＣＡＬ端子、ＲＦ送受信部の少なくとも一つを含むことができる。前記ディスプレイ装置の信号接続部及び前記第１の電源接続部は、ＵＳＢ端子を含むことができる。前記ディスプレイ装置の信号接続部及び前記第２の電源接続部は、ＵＳＢ端子を含むことができる。
【００１８】
前記ディスプレイ装置は、信号処理モジュールから複数のコンテンツを圧縮したデータ信号を受信することができ、該圧縮されたデータ信号は一つの信号接続部を介して受信することができる。前記ディスプレイ装置は、前記信号処理モジュールから複数のコンテンツのデータ信号を複数の信号接続部を介してそれぞれ受信し、前記ディスプレイ部は、複数のコンテンツをマルチビュー出力することができる。
【００１９】
前記ディスプレイ装置は、複数のコンテンツのデータ信号を前記信号処理モジュールのマックス（ＭＵＸ）によりマルチプクシングした信号を、一つの信号接続部を介して受信し、前記ディスプレイ部は複数のコンテンツをマルチビュー出力することができる。前記ディスプレイ装置の前記一つの信号接続部は、前記信号処理モジュールで処理された複数のコンテンツデータをエンコーディングするエンコーダに接続することができる。
【００２０】
前記ディスプレイ装置の前記一つの信号接続部は、前記エンコーディングされた複数のコンテンツデータをデコーディングするデコーダに接続することができる。前記ディスプレイ装置の前記エンコーダ及びデコーダは、前記一つの信号接続部に含まれるとよい。前記ディスプレイ装置は、少なくとも一つの信号受信部をさらに備えることができる。
【００２１】
前記ディスプレイ装置は、前記少なくとも一つの信号受信部を介して受信された信号を処理する第１の信号処理部をさらに備え、前記信号処理モジュールが処理して供給する信号は、前記信号処理部のハードウェア及びソフトウェアに対してアップグレードされた第２の信号処理部で処理した信号であると好ましい。
【００２２】
前記ディスプレイ装置は、少なくとも一つの信号受信部を介して受信した信号を、前記信号接続部を介して前記信号処理モジュールに送信することができる。前記ディスプレイ装置の前記少なくとも一つの信号受信部は、第１のチャネル信号を選択するための第１のチューナーを含むことができる。
【００２３】
前記ディスプレイ装置は、前記信号処理モジュールの第２のチューナーから選択された少なくとも一つの第２のチャネル信号を受信して、前記第１のチャネル信号と前記第２のチャネル信号を前記ディスプレイ部でマルチビュー出力することができる。
【００２４】
前記ディスプレイ装置の前記第１のチューナーは、前記信号処理モジュールの第２のチューナーと一つのアンテナを共通に使用することができる。前記放送受信用のディスプレイ装置の前記第１のチューナーは、アンテナから受信したチャネル信号を前記信号処理モジュールに有無線で送信することができる。前記ディスプレイ装置は記憶部をさらに備えることができる。
【００２５】
前記ディスプレイ装置の前記記憶部は、前記信号処理モジュールからデータをバックアップして保存することができる。前記ディスプレイ装置は、前記第２の電源接続部に電源を供給する電源供給部をさらに備えることができる。前記ディスプレイ装置の前記電源供給部は、複数の第２の電源接続部に互いに異なる電圧を供給することができる。
【００２６】
前記ディスプレイ装置は、前記信号処理モジュールの消費電力が、接続された電源接続部の最大出力を超える場合に、信号処理モジュールの消費電力を満たすような他の電源接続部に切り替わるように電源供給部を制御する電源制御部をさらに備えることができる。
【００２７】
前記ディスプレイ装置の前記電源制御部は、該放送受信用のディスプレイ装置に信号処理モジュールが接続されると、信号処理モジュールの消費電力と電源接続部の電源出力とを比較し、複数の第２の電源接続部から、信号処理モジュールの消費電力に合う第２の電源接続部を選択するＵＩを表示することができる。
【００２８】
本発明の実施例に係るポータブルな放送受信用の信号処理モジュールは、外部から入力される信号を処理する信号処理部と、前記信号処理部を含むケースと、前記ケースの外部に配置されるディスプレイ装置を接続させて、前記ディスプレイ装置と信号を送受信する少なくとも一つの信号接続部と、前記信号処理部を制御する制御部と、を備えることができる。
【００２９】
前記信号処理モジュールは、前記ディスプレイ装置が使用する電源を伝達するための第１の電源接続部をさらに備えることができる。前記信号処理モジュールは、前記ディスプレイ装置から電源を受けるための少なくとも一つの第２の電源接続部をさらに備えることができる。
【００３０】
前記信号処理モジュールの前記信号接続部は一つのケーブルを含み、ディスプレイ装置または信号処理モジュールに着脱可能であるとよい。前記信号処理モジュールの信号接続部及び第１の電源接続部は一つのケーブルを含み、ディスプレイ装置または信号処理モジュールに着脱可能であるとよい。
【００３１】
前記信号処理モジュールの信号接続部及び第２の電源接続部は一つのケーブルを含み、ディスプレイ装置または信号処理モジュールに着脱可能であるとよい。前記信号処理モジュールの信号接続部は、ＵＳＢ端子、ＨＤＭＩ端子、ＬＡＮ端子、ＳＣＡＲＴ端子、ＲＳ２３２端子、ＯＰＴＩＣＡＬ端子、ＲＦ送受信部の少なくとも一つを含むことができる。
【００３２】
前記信号処理モジュールの信号接続部及び前記第１の電源接続部は、ＵＳＢ端子を含むことができる。前記信号処理モジュールの信号接続部及び前記第２の電源接続部は、ＵＳＢ端子を含むことができる。
【００３３】
前記信号処理モジュールは、複数のコンテンツを圧縮したデータ信号を前記一つの信号接続部を介して前記ディスプレイ装置に伝送することができる。前記信号処理モジュールは、複数のコンテンツをそれぞれ、前記複数の信号接続部を介して前記ディスプレイ装置に伝送し、前記ディスプレイ装置は、受信した複数のコンテンツをマルチビュー出力することができる。
【００３４】
前記信号処理モジュールは、前記複数のコンテンツをマルチプクシングするマックス（ＭＵＸ）を備え、前記マルチプクシングしたデータ信号を前記一つの信号接続部を介してディスプレイ装置に伝送することができる。
【００３５】
前記信号処理モジュールの一つの信号接続部は、前記信号処理部で処理された複数のコンテンツデータをエンコーディングするエンコーダに接続することができる。前記信号処理モジュールの一つの信号接続部は、エンコーディングされた複数のコンテンツデータをデコーディングするデコーダに接続することができる。
【００３６】
前記信号処理モジュールの一つの信号接続部は、前記エンコーダ及びデコーダを含むことができる。前記信号処理モジュールは、少なくとも一つの信号受信部をさらに備えることができる。
【００３７】
前記信号処理モジュールの信号処理部は、ディスプレイ装置の信号受信部を介して受信された信号を、前記信号接続部を介して受信して処理することができる。
【００３８】
前記信号処理モジュールの信号処理部は、前記少なくとも一つの信号受信部を介して受信された信号を処理して、前記信号接続部を介して前記ディスプレイ装置に送信することができる。
【００３９】
前記信号処理モジュールの少なくとも一つの信号受信部は、第２のチャネル信号を選択するための第２のチューナーを含むことができる。
【００４０】
前記信号処理モジュールは、前記第２のチューナーから選択された少なくとも一つの第２のチャネル信号を前記ディスプレイ装置に伝送して、前記ディスプレイ装置の第１のチューナーに受信された第１のチャネル信号と共にマルチビュー出力させることができる。
【００４１】
前記信号処理モジュールの前記第２のチューナーは、前記ディスプレイ装置の第１のチューナーとアンテナを共通に使用することができる。前記信号処理モジュールの第２のチューナーは、前記ディスプレイ装置の第１のチューナーのアンテナからチャネル信号を受信することができる。
【００４２】
前記信号処理モジュールは、前記第２の電源接続部を介して電源を受信して、信号処理モジュールの各構成要素に電源を供給する電源供給部をさらに備えることができる。前記信号処理モジュールの電源供給部はレギュレータを含むことができる。
【００４３】
本発明の実施例に係る放送受信装置は、映像を表示するディスプレイ部、前記ディスプレイ部を部分的に含むカバー、前記カバーの外部から信号を送受信する第１の信号接続部、及び前記第１の信号接続部から受信された信号の表示タイミングを制御するタイミング制御部が備えられたディスプレイ装置と、前記ディスプレイ装置と信号を送受信する第２の信号接続部、外部から入力される信号を処理する信号処理部、及び前記信号処理部を制御する制御部が備えられたポータブルな信号処理モジュールと、を備えることができる。
【００４４】
前記放送受信装置は、前記信号処理モジュールが前記ディスプレイ装置に電源を供給するための第１の電源接続部をさらに備えることができる。前記放送受信装置は、ディスプレイ装置が信号処理モジュールに電源を供給するための少なくとも一つの第２の電源接続部をさらに備えることができる。
【００４５】
前記放送受信装置の第１、第２の信号接続部は一つのケーブルを含み、前記ディスプレイ装置または信号処理モジュールに着脱可能であるとよい。前記放送受信装置の第１、第２の信号接続部及び第１の電源接続部は、一つのケーブルを含み、ディスプレイ装置または信号処理モジュールに着脱可能であるとよい。
【００４６】
前記放送受信装置の第１、第２の信号接続部及び第２の電源接続部は一つのケーブルを含み、ディスプレイ装置または信号処理モジュールに着脱可能であるとよい。前記放送受信装置の第１、第２の信号接続部は、ＵＳＢ端子、ＨＤＭＩ端子、ＬＡＮ端子、ＳＣＡＲＴ端子、ＲＳ２３２端子、ＯＰＴＩＣＡＬ端子、ＲＦ送受信部の少なくとも一つを含むことができる。
【００４７】
前記放送受信装置の第１、第２の信号接続部と第１の電源接続部は、ＵＳＢ端子を含むことができる。前記放送受信装置の第１、第２の信号接続部と前記第２の電源接続部は、ＵＳＢ端子を含むことができる。
【００４８】
前記放送受信装置の信号処理モジュールは、信号処理部で処理された複数のコンテンツのデータ信号を圧縮し、該圧縮されたデータ信号を１対の第１、第２の信号接続部を介して前記ディスプレイ装置に伝達することができる。
【００４９】
前記放送受信装置の信号処理モジュールは、信号処理部で処理された複数のコンテンツのデータ信号を、複数対の第１、第２の信号接続部を介してそれぞれディスプレイ装置に伝達し、前記ディスプレイ装置のディスプレイ部は、複数のコンテンツのデータ信号をマルチビュー出力することができる。
【００５０】
前記放送受信装置の信号処理モジュールは、複数のコンテンツのデータ信号をマルチプクシングするマックス（ＭＵＸ）を有し、前記マルチプクシングされた複数のコンテンツのデータ信号を、１対の第１、第２の信号接続部を介して前記ディスプレイ装置に伝達し、前記ディスプレイ装置のディスプレイ部は、マルチプクシングされた複数のコンテンツのデータ信号をマルチビュー出力することができる。
【００５１】
前記放送受信装置の第２の信号接続部は、前記信号処理部で処理された複数のコンテンツデータをエンコーディングするエンコーダに接続することができる。
【００５２】
前記放送受信装置の第１の信号接続部は、前記信号処理モジュールから受信されるエンコーディングされた複数のコンテンツのデータ信号をデコーディングするデコーダに接続することができる。前記放送受信装置の第１、第２の信号接続部は、エンコーダ及びデコーダを含むことができる。
【００５３】
前記放送受信装置のディスプレイ装置は、少なくとも一つの第１の信号受信部をさらに備えることができる。前記放送受信装置のディスプレイ装置は、前記少なくとも一つの第１の信号受信部を介して受信された信号を処理する第１の信号処理部を備え、前記信号処理モジュールの信号処理部は、前記第１の信号処理部のハードウェア及びソフトウェアをアップグレードしたものでよい。
【００５４】
前記放送受信装置のディスプレイ装置は、少なくとも一つの第１の信号受信部を介して受信された信号を、前記第１、第２の信号接続部を介して前記信号処理モジュールに送信することができる。
【００５５】
前記放送受信装置の前記少なくとも一つの第１の信号受信部は、第１のチャネル信号を選択するための第１のチューナーを有することができる。
【００５６】
前記放送受信装置の信号処理モジュールは、少なくとも一つの第２の信号受信部を備えることができる。前記放送受信装置の少なくとも一つの第２の信号受信部は、第２のチャネル信号を選択するための第２のチューナーを有することができる。
【００５７】
前記放送受信装置の信号処理モジュールは、第２のチューナーから選択された少なくとも一つの第２のチャネル信号を前記放送受信用のディスプレイ装置に送信し、前記ディスプレイ装置は、前記第２のチャネル信号と第１のチューナーから選択された第１のチャネル信号を前記ディスプレイ部でマルチビュー出力することができる。前記放送受信装置の第１のチューナーは、前記信号処理モジュールの第２のチューナーと一つのアンテナを共通に使用することができる。
【００５８】
前記放送受信装置の第１のチューナーは、アンテナから受信されたチャネル信号を、前記信号処理モジュールの第２のチューナーに有無線で送信することができる。前記放送受信装置の第２のチューナーは、アンテナから受信されたチャネル信号を、前記ディスプレイ装置の第１のチューナーに有無線で送信することができる。
【００５９】
前記放送受信装置のディスプレイ装置は、記憶部をさらに備えることができる。前記放送受信装置の記憶部は、前記信号処理モジュールからデータをバックアップして保存することができる。
【００６０】
前記放送受信装置のディスプレイ装置は、第２の電源接続部に電源を供給する第１の電源供給部をさらに備えることができる。前記放送受信装置の第１の電源供給部は、複数の第２の電源接続部へ異なる電圧を供給することができる。
【００６１】
前記放送受信装置のディスプレイ装置は、前記信号処理モジュールの消費電力が、接続された第２の電源接続部の最大出力を超える場合に、信号処理モジュールの消費電力を満たすような他の第２の電源接続部に切り替わるように電源供給部を制御する電源制御部をさらに備えることができる。
【００６２】
前記放送受信装置の電源制御部は、前記ディスプレイ装置に信号処理モジュールが接続されると、信号処理モジュールの消費電力と電源接続部の電源出力とを比較し、複数の第２の電源接続部から、信号処理モジュールの消費電力に合う第２の電源接続部を選択するＵＩを表示することができる。
【００６３】
前記放送受信装置の信号処理モジュールは、各構成要素に電源を供給する第２の電源供給部を備えることができる。前記放送受信装置の第２の電源供給部はレギュレータを含むことができる。前記放送受信装置の第２の電源供給部は、前記第２の電源接続部を介して電源が入力されるとよい。
【００６４】
本発明の実施例に係る放送受信方法は、ディスプレイ装置のカバーの外部に設けられたポータブルな信号処理モジュールにより信号を処理することと、前記信号処理モジュールで処理された信号を前記信号処理モジュールのケースの外部に設けられたディスプレイ装置に、少なくとも一つの信号接続部を介して伝送することと、前記ディスプレイ装置に受信された信号の表示タイミングを、ディスプレイ装置のタイミング制御部により制御することと、前記タイミング制御された信号をディスプレイ装置のディスプレイ部に表示することと、を含むことができる。
【００６５】
前記放送受信方法は、信号処理モジュールが第１の電源接続部を介して前記ディスプレイ装置に電源を供給することをさらに含むことができる。前記放送受信方法は、ディスプレイ装置が第２の電源接続部を介して信号処理モジュールに電源を供給することをさらに含むことができる。
【００６６】
前記放送受信方法において、前記信号接続部は一つのケーブルを含み、前記ディスプレイ装置または信号処理モジュールに着脱可能であるとよい。前記放送受信方法において、前記信号接続部及び第１の電源接続部は一つのケーブルを含み、ディスプレイ装置または信号処理モジュールに着脱可能であるとよい。
【００６７】
前記放送受信方法において、前記信号接続部及び第２の電源接続部は一つのケーブルを含み、ディスプレイ装置または信号処理モジュールに着脱可能であるとよい。前記放送受信方法において、前記信号接続部は、ＵＳＢ端子、ＨＤＭＩ端子、ＬＡＮ端子、ＳＣＡＲＴ端子、ＲＳ２３２端子、ＯＰＴＩＣＡＬ端子、ＲＦ送受信部の少なくとも一つを含むことができる。
【００６８】
前記放送受信方法において、前記信号接続部及び第１の電源接続部は、ＵＳＢ端子を含むことができる。前記放送受信方法において、前記信号接続部及び前記第２の電源接続部は、ＵＳＢ端子を含むことができる。
【００６９】
前記放送受信方法は、前記信号処理モジュールの信号処理部により複数のコンテンツのデータ信号を処理することと、前記処理された複数のコンテンツのデータ信号を圧縮することと、前記圧縮されたデータ信号を一つの信号接続部を介して前記ディスプレイ装置に伝達することと、をさらに含むことができる。
【００７０】
前記放送受信方法は、前記信号処理モジュールの信号処理部により複数のコンテンツのデータ信号を処理することと、前記処理された複数のコンテンツのデータ信号を、複数の信号接続部を介してそれぞれディスプレイ装置に伝達することと、前記受信された複数のコンテンツのデータ信号をディスプレイ部にマルチビュー出力することと、をさらに含むことができる。
【００７１】
前記放送受信方法は、前記信号処理モジュールのマックス（ＭＵＸ）により複数のコンテンツのデータ信号をマルチプクシングすることと、前記マルチプクシングされた複数のコンテンツのデータ信号を、一つの信号接続部を介して前記ディスプレイ装置に伝達することと、マルチプクシングされた複数のコンテンツのデータ信号をディスプレイ部にマルチビュー出力することと、をさらに含むことができる。
【００７２】
前記放送受信方法は、前記信号処理部で処理された複数のコンテンツのデータ信号をエンコーダによりエンコーディングすることをさらに含むことができる。前記放送受信方法は、前記一つの信号接続部を介して前記信号処理部から受信されるエンコーディングされた複数のコンテンツのデータ信号をデコーダによりデコーディングすることをさらに含むことができる。
【００７３】
前記放送受信方法において、前記エンコーダ及びデコーダは前記一つの信号接続部に含まれるとよい。前記放送受信方法は、前記ディスプレイ装置の少なくとも一つの第１の信号受信部を介して信号を受信することをさらに含むことができる。
【００７４】
前記放送受信方法は、前記ディスプレイ装置の少なくとも一つの第１の信号受信部を介して受信された信号を第２の信号処理部により処理することをさらに含むことができる。
【００７５】
前記放送受信方法は、前記ディスプレイ装置の少なくとも一つの第１の信号受信部を介して受信された信号を、前記信号接続部を介して前記信号処理モジュールに送信することをさらに含むことができる。前記放送受信方法は、前記ディスプレイ装置の第１のチューナーにより第１のチャネル信号を選択することをさらに含むことができる。
【００７６】
前記放送受信方法は、前記信号処理モジュールの少なくとも一つの第２の信号受信部により信号を受信することをさらに含むことができる。前記放送受信方法は、前記信号処理モジュールの第２のチューナーにより第２のチャネル信号を選択することをさらに含むことができる。
【００７７】
前記放送受信方法は、前記信号処理モジュールの第２のチューナーから選択された少なくとも一つの第２のチャネル信号を前記ディスプレイ装置に送信することと、前記第２のチャネル信号と第１のチューナーから選択された第１のチャネル信号を前記ディスプレイ部でマルチビュー出力することと、をさらに含むことができる。
【００７８】
前記放送受信方法において、前記第１のチューナーは前記信号処理モジュールの第２のチューナーと一つのアンテナを共通に使用することができる。前記放送受信方法において、前記第１のチューナーは、アンテナから受信したチャネル信号を前記信号処理モジュールの第２のチューナーに有無線で送信することができる。
【００７９】
前記放送受信方法において、前記第２のチューナーは、アンテナから受信したチャネル信号を前記ディスプレイ装置の第１のチューナーに有無線で送信することができる。
【００８０】
前記放送受信方法は、前記信号処理モジュールからデータをディスプレイ装置の記憶部にバックアップして保存することをさらに含むことができる。前記放送受信方法は、前記ディスプレイ装置の第１の電源供給部から前記第２の電源接続部に電源を供給することをさらに含むことができる。
【００８１】
前記放送受信方法において、前記第１の電源供給部は、複数の第２の電源接続部へ異なる電圧を供給することができる。
【００８２】
前記放送受信方法は、前記信号処理モジュールの消費電力が、接続された第２の電源接続部の最大出力を超える場合に、信号処理モジュールの消費電力を満たすような他の第２の電源接続部に切り替わるように第１の電源供給部を制御することをさらに含むことができる。
【００８３】
前記放送受信方法は、前記ディスプレイ装置に信号処理モジュールが接続されると、信号処理モジュールの消費電力と電源接続部の電源出力とを比較することと、前記比較結果に基づいて、複数の第２の電源接続部から、信号処理モジュールの消費電力に合う第２の電源接続部を選択するＵＩを表示することと、をさらに含むことができる。
【００８４】
前記放送受信方法は、前記第２の電源接続部を介して入力された電源を、信号処理モジュールの第２の電源供給部により信号処理モジュールの各構成要素に供給することをさらに含むことができる。
【００８５】
前記放送受信方法において、前記第２の電源供給部はレギュレータを含むことができる。
【発明の効果】
【００８６】
本発明に係る放送受信装置は、ディスプレイ装置と信号処理モジュールとが別体に構成され、互いに着脱可能に一つのケーブルで接続されるため、アフターサービスやアップグレードが容易である。
【００８７】
本発明の放送受信装置は、ユーザーが直接アフターサービスやアップグレードを行うことができる。本発明の放送受信装置は、ディスプレイ装置から信号処理モジュールを分離できるため、放送受信装置のスリムな設計が可能である。
【００８８】
本発明の放送受信装置は、ディスプレイ装置と信号処理モジュールとを分離できるため、運搬や移動が便利である。本発明の放送受信装置は、ディスプレイ装置と信号処理モジュールとを別体に構成するが、信号及び電源を一つのケーブルを介して互いに伝達する構造を採択することによって、ディスプレイ装置または信号処理モジュールのいずれかは、電源コード及び信号受信部を省くことができる。
【００８９】
本発明の放送受信装置は、ディスプレイ装置と信号処理モジュールとを別体に構成するが、信号処理モジュールから複数コンテンツを処理して単一の接続部を介してディスプレイ装置に伝達することによって、マルチビュー（ｍｕｌｔｉ−ｖｉｅｗ）出力を達成することができる。
本発明の放送受信装置は、ディスプレイ装置と信号処理モジュールとを別体に構成するが、ディスプレイ装置及び信号処理モジュールにそれぞれチューナーを設けることによって、マルチチューナーとしての機能を備えることができる。
【図面の簡単な説明】
【００９０】
【図１】本発明の実施例に係る放送受信装置の例示図である。
【図２】図１の放送受信装置の一例を示す構成ブロック図である。
【図３】図１の放送受信装置の他の例を示す構成ブロック図である。
【図４】図１の放送受信装置のさらに他の例を示す構成ブロック図である。
【図５】本発明の一実施例に係る、複数のユーザーに複数のコンテンツを提供する放送受信装置を示す図である。
【図６】本発明の一実施例に係るディスプレイ装置の構成を示すブロック図である。
【図７】本発明の一実施例に係る信号処理モジュールの構成を示すブロック図である。
【図８】本発明の一実施例に係るディスプレイ装置と信号処理モジュールとの接続方式を示す図である。
【図９】本発明の他の実施例に係るディスプレイ装置と信号処理モジュールとの接続方式を示す図である。
【図１０】本発明のさらに他の実施例に係るディスプレイ装置と信号処理モジュールとの接続方式を示す図である。
【図１１】本発明の一実施例に係る放送受信装置でのマルチビュー表示支援方法を示すフローチャートである。
【図１２】本発明の他の実施例に係る放送受信装置を示す図である。
【図１３】図１２の放送受信装置の第１の実施例を示す構成ブロック図である。
【図１４】図１２の放送受信装置の第２の実施例を示す構成ブロック図である。
【図１５】図１２の放送受信装置の第３の実施例を示す構成ブロック図である
【図１６】図１２の放送受信装置の第４の実施例を示す構成ブロック図である。
【図１７】図１２の放送受信装置の第５実施例を示す構成ブロック図である。
【図１８】本発明に係るディスプレイ装置の電源供給部の構成を示すブロック図である。
【図１９】図１８の電源供給部の構成を示すブロック図である。
【図２０】本発明の実施例に係る信号処理モジュールに適切な電圧を供給するためのユーザーインターフェース（ＵＩ）を示す図である。
【図２１】本発明の一実施例に係る放送受信装置の信号処理を示すフローチャートである。
【図２２】本発明の他の実施例に係る放送受信装置の信号処理を示すフローチャートである。
【図２３】本発明のさらに他の実施例に係る放送受信装置の信号処理を示すフローチャートである。
【発明を実施するための形態】
【００９１】
以下、添付の図面を参照しつつ本発明について詳細に説明する。以下の実施例では、本発明の思想と直接関連している構成についてのみ説明し、それ以外の構成については説明を省く。ただし、本発明の思想が適用された装置またはシステムの具現において、このように説明を省いた構成が不必要であるということを意味するわけではない。
【００９２】
図１及び図２に示すように、この実施例に係る放送受信装置１は、カバー１０２を含むディスプレイ装置１００と、カバー１０２の外部に位置する外部機器として、筐体２０２を含むポータブルな信号処理モジュール２００と、ディスプレイ装置１００と信号処理モジュール２００とを接続して、信号処理された映像データを運搬する信号接続部３００，３２２，３２４，３２５，３４５と、を備える。
【００９３】
この実施例の放送受信装置１は、放送局の送出装備から受信した放送信号／放送情報／放送データに基づいて放送映像を表示するＴＶとするが、ＴＶに限定されず、例えば、コンピュータモニタなどのように映像表示可能な種々の放送受信装置にすることもできる。
【００９４】
また、放送受信装置１は、表示可能な映像の種類が放送映像に限定されず、例えば、放送受信装置１は様々な形式の映像供給源１０から受信した信号／データ及び様々なタイプの映像に基づいて、動映像、静止映像、アプリケーション（ａｐｐｌｉｃａｔｉｏｎ）、ＯＳＤ（ｏｎ−ｓｃｒｅｅｎ  ｄｉｓｐｌａｙ）、様々な動作制御のためのＧＵＩ（ｇｒａｐｈｉｃ  ｕｓｅｒ  ｉｎｔｅｒｆａｃｅ）などの映像を表示することができる。
【００９５】
ディスプレイ装置１００は、映像を表示するディスプレイ部１３０と、音声を出力するスピーカ１８０と、ディスプレイ部１３０及びスピーカ１８０に電源を供給する第１の電源供給部１７０と、ディスプレイ部１３０の一部を覆うカバー１０２と、受信した信号の表示タイミングを制御するタイミング制御部（Ｔ−ｃｏｎ）１３２と、を備えることができる。
【００９６】
信号処理モジュール２００は、運搬及び交換がしやすいように筐体２０２で覆われ、ポータブル（ｐｏｒｔａｂｌｅ）に作製される。この信号処理モジュール２００は、ディスプレイ装置１００に分離可能に接続されて、入力された映像及び音声信号を所定の信号処理過程を経て処理することができる。また、信号処理モジュール２００は、信号接続部３００，３２２，３２４，３２５，３４５によりディスプレイ装置１００に接続することができる。
【００９７】
信号接続部３００，３２２，３２４，３２５，３４５は、信号処理モジュール２００で処理された映像信号、音声信号及び付加データを、ディスプレイ装置１００のディスプレイ部１３０及びスピーカ１４０に伝達できる信号接続線３２５を含むケーブル３００、及び信号処理モジュール２００をディスプレイ装置１００と直接接続／分離する、例えばＵＳＢのような接続端子３２２，３２４を含むことができる。そのため、ディスプレイ装置１００と信号処理モジュール２００は、ケーブル３００と該ケーブル３００の両端または一端に結合している接続端子３２２，３２４を介して着脱可能になっている。図１で、信号接続部３２０，３３０の電源接続線３４５は、信号接続線３２５と一緒にケーブル３００に含まれているとしたが、必ずしもケーブル３００に含まれる必要はない。
【００９８】
したがって、ディスプレイ装置１００を、より大きい有効画面を有するパネルや、例えばフル高解像度（Ｆｕｌｌ  Ｈｉｇｈ  Ｒｅｓｏｌｕｔｉｏｎ）パネルのような他の解像度を持つパネルに交換する場合に、信号処理モジュール２００をそのまま使用することができる。逆に、既存のディスプレイ装置１００はそのまま使用し、アップグレードしたまたは新しい信号処理モジュール２００のみを交換して使用することもできる。
【００９９】
信号処理モジュール２００は、相互間の物理的／電気的接続のためのコネクタ／端子構成３２２，３２４を含むことができる。勿論、信号処理モジュール２００は、ディスプレイ装置１００と無線で接続されてもよい。
【０１００】
以下、本発明の一実施例に係る放送受信用のディスプレイ装置１００及び放送受信用の信号処理モジュール２００の構成について、図２乃至図４を参照して詳細に説明する。
【０１０１】
図２に示すように、ディスプレイ装置１００は、映像を表示するディスプレイ部１３０と、音声を出力するスピーカ１４０と、ディスプレイ部１３０及びスピーカ１４０に電源を供給する第１の電源供給部１７０と、例えば、外部映像供給源のような外部から処理された信号を受信する第１の信号接続部３２０と、を備えることができる。
【０１０２】
第１の信号接続部３２０は、ＵＳＢ端子、ＨＤＭＩ端子、ＬＡＮ端子、ＳＣＡＲＴ端子、ＲＳ２３２端子、ＯＰＴＩＣＡＬ端子、ＲＦ受信部の少なくとも一つを含むことができる。第１の信号接続部３２０は、信号処理モジュール２００の信号処理部２２０で処理された信号を、信号接続線３２５を含むケーブル３００と接続端子（図示せず）により受信することができる。接続端子（図示せず）は、ディスプレイ装置１００及び信号処理モジュール２００の両方に分離可能に接続されてもよく、ディスプレイ装置１００及び信号処理モジュール２００のいずれか一方には半永久的に固定接続され、いずれか他方には分離可能に接続されてもよい。
【０１０３】
第１の信号接続部３２０は、受信される映像信号の規格や、映像供給源１０及びディスプレイ装置１００の具現方式に対応して様々な方式を有する。例えば、第１の信号接続部３２０は、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ、コンポーネント（ｃｏｍｐｏｎｅｎｔ）などの規格に基づく信号／データを受信することができ、これらの規格のそれぞれに対応する、例えば、ＵＳＢ端子、ＨＤＭＩ端子、ＬＡＮ端子、ＳＣＡＲＴ端子、ＲＳ２３２端子、ＯＰＴＩＣＡＬ端子、ＲＦ受信部の少なくとも一つを含むことができる。このような各接続端子はケーブル３００を介して様々な外部機器に接続することによって、第１の信号接続部３２０を介した外部機器との通信を可能にする。ケーブル３００は、信号接続線３２５及び電源接続線３４５を含むことができる。
【０１０４】
第１の信号接続部３２０に接続される外部機器は、信号処理モジュール２００に限定されない。例えば、コンピュータ（ＰＣ）、スマートフォンのようなモバイル機器、ゲーム機、または様々なタイプの電子装置が、信号処理モジュール２００に代えてまたは加えて第１の信号接続部３２０に接続されてもよい。
【０１０５】
ディスプレイ部１３０は、第１の信号接続部３２０を介して、カバーの外部に配置された信号処理モジュール２００から信号処理された映像信号を受信し、該映像信号に基づいて映像を表示する。ディスプレイ部１３０の具現方式は特に限定されず、例えば、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導型電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）などの様々なディスプレイパネルで具現することができる。
【０１０６】
ディスプレイ部１３０は、具現方式に応じて付加的な構成をさらに含むことができる。例えば、ディスプレイ部１３０は、液晶方式のものであれば、光を供給するバックライトユニット（図示せず）と、表示パネル（図示せず）を駆動させるパネル駆動基板（図示せず）とを備えることができる。
【０１０７】
ディスプレイ部１３０は、第１の信号接続部３２０を介して受信した信号のタイミングを制御するタイミング制御部（Ｔ−ｃｏｎ）１３２、ラインバッファー（図示せず）、フレームメモリ（図示せず）、階調変換回路（図示せず）、表示パネル（図示せず）などを備えることができる。タイミング制御部（Ｔ−ｃｏｎ）１３２は、第１の信号接続部３２０から入力された映像信号を表示パネルに表示するために、例えば、イネーブル信号、スタートパルス信号、垂直シフトクロック信号、クロック信号、ラッチパルス信号などを発生することができる。
【０１０８】
スピーカ１８０は、信号処理モジュール２００で処理された音声信号を第１の信号接続部３２０を介して受信して音声を出力する。
【０１０９】
第１の電源供給部１７０は、ディスプレイ装置１００で使用される全ての電源を供給する。第１の電源供給部１７０は、ディスプレイ部１３０及びスピーカ１８０を駆動する電圧、その他周辺機器を駆動する電圧などを発生する。第１の電源供給部１７０は、ＳＭＰＳ（Ｓｗｉｔｃｈｅｄ−ｍｏｄｅ  ｐｏｗｅｒ  ｓｕｐｐｌｙ）やＤＣ−ＤＣコンバータなどを含むこともでき、電圧を発生するのに使われる他のコンポーネントを含むこともできる。
【０１１０】
図２乃至図４には示していないが、ディスプレイ装置１００は、記憶部（図示せず）をさらに備えることができる。このディスプレイ装置１００の記憶部（図示せず）は、接続した信号処理モジュール２００を交換する場合に、信号処理モジュール２００の記憶部２５０に保存されているデータをバックアップして保存することができる。
【０１１１】
以下、信号処理モジュール２００の構成について説明する。
【０１１２】
信号処理モジュール２００は、ディスプレイ装置１００の第１の信号接続部３２０に接続される第２の信号接続部３３０と、外部の映像供給源１０から信号を受信する信号受信部２１０と、信号受信部２１０を介して入力された信号を処理できる信号処理部２２０と、限定されないデータ／情報が保存される記憶部２５０と、信号処理モジュール２００の信号処理に必要な電源を供給する第２の電源供給部２７０と、信号処理モジュール２００の動作全般を制御する制御部２６０と、を備えることができる。
【０１１３】
第２の信号接続部３３０は、第１の信号接続部３２０に接続することで信号処理モジュール２００及びディスプレイ装置１００間の通信を可能にする。第２の信号接続部３３０は、第１の信号接続部３２０に接続するように第１の信号接続部３２０に対応する規格に基づいて設けられ、ケーブル３００を介して第１の信号接続部３２０の接続端子（図示せず）に接続することができる。
【０１１４】
第２の信号接続部３３０は、ケーブル３００の一端に接続される接続端子３２２，３２４を含むことができる。この接続端子３２２，３２４は、第１の信号接続部３２０に通信可能な規格、例えば、ＵＳＢ端子、ＨＤＭＩ端子、ＬＡＮ端子、ＳＣＡＲＴ端子、ＲＳ２３２端子、ＯＰＴＩＣＡＬ端子、ＲＦ受信部の少なくとも一つを含むことができる。これは一例に過ぎないもので、第１の信号接続部３２０及び第２の信号接続部３３０間の接続方式は、様々な形態で具現することができる。
【０１１５】
信号受信部２１０は、外部の映像供給源１０から映像／音声信号及び／または付加データ信号を受信することができる。信号受信部２１０は、放送局から送信される放送信号をアンテナを介して受信できるチューナー２１２を有することができる。一方、信号処理モジュール２００には信号受信部２１０を配置せずに、ディスプレイ装置１００に信号受信部２１０（チューナー２１２も含む）を配置することもできる。この場合、ディスプレイ装置１００の信号受信部に受信された信号は、第１の信号接続部３２０及び第２の信号接続部３３０を介して信号処理モジュール２００に伝達されるようにする。もちろん、信号を伝達する第１の信号接続部３２０及び第２の信号接続部３３０を兼用することもできるが、第１の信号接続部及び第２の信号接続部は別個にすることが好ましい。
【０１１６】
特に、信号受信部２１０は、信号処理モジュール２００、ディスプレイ装置の両方に設けられてもよい。
【０１１７】
信号処理部２２０は、外部の映像供給源１０から信号受信部２１０を介して受信した映像信号に対して、既に設定された様々な信号処理過程を行う。信号処理部２２０は、このように処理された映像信号を、第１及び第２の信号接続部３２０，３３０を介してディスプレイ部１３０に出力し、当該映像信号に基づく映像がディスプレイ部１３０に表示されるようにする。
【０１１８】
信号処理部２２０が行う信号処理の種類は、特に限定されず、例えば、所定の信号を各特性別の信号に分配するデマルチプレクシング（ｄｅ−ｍｕｌｔｉｐｌｅｘｉｎｇ）、映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式に変換するデインターレーシング（ｄｅ−ｉｎｔｅｒｌａｃｉｎｇ）、映像信号を既に設定された解像度に調整するスケーリング（ｓｃａｌｉｎｇ）、映像画質の改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換などを含むことができる。
【０１１９】
信号処理部２２０は、上記プロセスを行うための様々なチップセット（図示せず）、メモリ（図示せず）、電子部品（図示せず）、配線（図示せず）などの回路構成が印刷回路基板（図示せず）上に実装された映像処理ボード（図示せず）とする。
【０１２０】
第２の電源供給部２７０は、信号処理モジュール２００の各構成部品、例えば、制御部２６０、信号処理部２２０、記憶部２５０などに必要な電源を出力する。すなわち、第２の電源供給部２７０は、制御部２６０を駆動するＣＰＵコア（ＣＰＵ  ｃｏｒｅ）電圧、記憶部２５０を駆動するメモリ電圧、その他周辺機器を駆動する電圧などを出力することができる。第２の電源供給部２７０は、ＳＭＰＳ（Ｓｗｉｔｃｈｅｄ−ｍｏｄｅ  ｐｏｗｅｒ  ｓｕｐｐｌｙ）やＤＣ−ＤＣコンバータなどを含むことができる。
【０１２１】
記憶部２５０には様々なタイプのデータが保存される。記憶部２５０は、フラッシュメモリ（ｆｌａｓｈ−ｍｅｍｏｒｙ）、ハードディスクドライブ（ｈａｒｄ−ｄｉｓｃ  ｄｒｉｖｅ）のような不揮発性メモリで具現される。記憶部２５０は、制御部２６０によりアクセスされて、データの読み取り／書き込み／修正／削除／更新などが行われる。
【０１２２】
記憶部２５０に保存されるデータは、例えば、運営システムをはじめとして、この運営システム上で実行可能な様々なアプリケーション、映像データ、付加データなどを含む。
【０１２３】
制御部２６０は、ＣＰＵで構成されて、信号処理モジュール２００の様々な構成に対する制御動作を行うことができる。例えば、制御部２６０は、信号処理部２２０が処理する信号処理過程の進行、第２の信号接続部３３０を介した信号／情報／データの送受信動作、記憶部２５０にアクセスしてデータの読み取り／書き込み／修正／削除／更新の作業を行うこと、及びディスプレイ装置１００及び信号処理モジュール２００間の接続動作、を制御する。
【０１２４】
図３は、本発明の他の実施例に係る放送受信装置１の構成を示すブロック図である。図３に示すように、ディスプレイ装置１００に、第１の電源接続部３４０及び第２の電源接続部３５０を介して信号処理モジュール２００から電源が供給されるようにすることもできる。
【０１２５】
第１の電源接続部３４０及び第２の電源接続部３５０は電源接続線３４５を含み、この電源接続線３４５は信号接続線３２５と一緒にケーブル３００に含まれるように構成することができる。電源接続線３４５は、別個に設けられた接続端子（図示せず）を含むことができる。もちろん、接続端子は、例えば、既存のＵＳＢ端子を用いることもできる。すなわち、ケーブル３００が信号接続線３２５及び電源接続線３４５を含むことから、ディスプレイ装置１００と信号処理モジュール２００とを簡易に接続することができる。また、信号処理モジュール２００にのみ外部電源コードを設ければいいので、ディスプレイ装置１００の設置を簡素化することができる。
【０１２６】
図４は、図３と違い、信号処理モジュール２００が使用する電源を、第１の電源接続部３４０及び第２の電源接続部３５０を介してディスプレイ装置１００から供給する例を示している。
【０１２７】
図３と同様に、第１の電源接続部３４０及び第２の電源接続部３５０は電源接続線３４５を含み、この電源接続線３４５は信号接続線３２５と一緒にケーブルに含まれる構成とすることができる。電源接続線３４５は、別個に設けられた接続端子（図示せず）を含むことができる。もちろん、接続端子として、例えば、既存のＵＳＢ端子を用いることもできる。すなわち、ケーブル３００が信号接続線３２５及び電源接続線３４５を含むことから、ディスプレイ装置１００と信号処理モジュール２００とを簡易に接続することができる。
【０１２８】
図４の信号処理モジュール２００は、例えばレギュレータのような第２の電源供給部２７０を有することができる。この場合、第２の電源供給部２７０は、第１の電源接続部３４０及び第２の電源接続部３５０を介してディスプレイ装置１００の第１の電源供給部１７０から電源を受けることができる。
【０１２９】
図５は、本発明によって複数のユーザーに複数のコンテンツを提供する放送受信装置１を例示する図である。図５の放送受信装置１は、２つのメガネ５０２を含むことができる。
【０１３０】
放送受信装置１は、複数のコンテンツを交互にディスプレイし、各コンテンツのディスプレイタイミングに対応する同期化信号をメガネ装置に伝送する。また、放送受信装置１は、複数のコンテンツのそれぞれに対応するメガネ装置に各コンテンツのオーディオ信号を出力する。このような放送受信装置１は、ＴＶ、携帯電話、ＰＤＡ、ノートＰＣ、モニタ、タブレットＰＣ、電子書籍、電子額縁、キオスクなどのような、ディスプレイ装置１００を備えた様々な装置とすることができる。
【０１３１】
メガネ装置は、放送受信装置１から受信した同期化信号に応じて左眼及び右眼シャッターグラスのオープンタイミングを制御する。すなわち、メガネ装置は、受信した同期化信号に含まれた情報に応じて、コンテンツがディスプレイされるタイミングの間に左眼及び右眼シャッターグラスをオープンし、複数のコンテンツのいずれか一コンテンツに対するビデオ映像を見るようにすることができる。
【０１３２】
一つのメガネ装置は、放送受信装置１から受信した同期化信号に応じて、交互にディスプレイされるコンテンツ１乃至４のうち、コンテンツ１がディスプレイされる時点に左眼及び右眼シャッターグラスをオープンすることができる。
【０１３３】
このように、一つのメガネ装置が、コンテンツ１がディスプレイされる時点に左眼及び右眼シャッターグラスをオープンすることによって、当該メガネ装置を着用したユーザーは、該メガネ装置を通して、放送受信装置１でディスプレイされる複数のコンテンツのうち、コンテンツ１に対するビデオ映像を見ることができる。
【０１３４】
一方、コンテンツ１乃至４を交互にディスプレイする放送受信装置１は、コンテンツ１乃至４がディスプレイされるタイミングに対応して、コンテンツ１乃至４に対するオーディオ信号を出力することができる。したがって、前述したように、コンテンツ１がディスプレイされる時点に左眼及び右眼シャッターグラスをオープンするメガネ装置は、放送受信装置１から出力されるコンテンツ１に対するオーディオ信号を受信して出力することができる。これにより、ユーザーは、着用しているメガネ装置を通してコンテンツ１に対するビデオ映像を見ながら、同時にコンテンツ１に対するオーディオを聴取することができる。
【０１３５】
一方、他のメガネ装置は、放送受信装置１から受信した同期化信号に応じて、交互にディスプレイされるコンテンツのうちコンテンツ３がディスプレイされる時点に、左眼及び右眼シャッターグラスをオープンすることができる。一方、コンテンツ１乃至４を交互にディスプレイする放送受信装置１は、コンテンツ１乃至４がディスプレイされるタイミングに対応して、コンテンツ１乃至４に対するオーディオ信号を出力することができる。したがって、コンテンツ３がディスプレイされる時点にシャッターグラスをオープンするメガネ装置は、放送受信装置１から出力されるコンテンツ３に対するオーディオ信号を受信して出力することができる。これにより、ユーザーは、着用しているメガネ装置を通して、コンテンツ３に対するビデオ映像を見ながら、同時にコンテンツ３に対するオーディオを聴取することができる。
【０１３６】
以上、複数のコンテンツを提供する放送受信装置１、及びこの放送受信装置１から提供される複数のコンテンツを視聴するためのメガネ装置を含むシステムについて簡略に説明した。本発明は、放送受信装置１において一つの接続ラインを用いて複数のコンテンツに対するマルチビューディスプレイ支援及び電源供給を行うための接続構造に関する。
【０１３７】
以下では、前述した複数のコンテンツに対するマルチビューディスプレイ支援及び電源供給を行うための接続構造を有する放送受信装置１の構成について詳細に説明する。
【０１３８】
図６は、本発明の一実施例に係るマルチビューディスプレイ（マルチビューフォーマット）支援放送受信装置１の構成を示すブロック図である。図６に示すように、放送受信装置１は、ケーブル３００を介して接続された信号処理モジュール２００及びディスプレイ装置１００を含むことができる。信号処理モジュール２００は、信号受信部２１０、信号処理部２２０、及び電源供給部２７０を備えることができる。ディスプレイ装置１００は、信号処理モジュール２００から受信された映像を表示するディスプレイ部１３０を備えることができる。
【０１３９】
信号受信部２１０は、複数個で構成されて異なる複数のコンテンツを受信できるように、複数の信号受信部１，２，３，…を有することができる。複数のコンテンツが信号受信部２１０を介して受信されると、信号処理部２２０は、複数のコンテンツのそれぞれに含まれたビデオデータ、オーディオデータ及び付加データを出力可能な形態に信号処理する。電源供給部２７０は、それぞれの構成が動作できるように電源を供給する。ケーブル３００は、信号処理部２２０とディスプレイ部１３０とを接続して、信号処理部２２０で処理されたそれぞれのコンテンツのデータ、及びディスプレイ装置１００を駆動するために電源供給部２７０から供給される電源を、ディスプレイ装置１００に伝送する。もちろん、電源供給部２７０を信号処理モジュール２００ではなくディスプレイ装置１００に配置して、電源をディスプレイ装置１００から信号処理モジュール２００に供給することもできる。
【０１４０】
前述したように、複数の信号受信部１，２，３は、外部ソースから第１乃至第３のコンテンツのそれぞれを受信することができる。実施例によって、信号受信部１，２，３は、異なる放送チャネルを通じてコンテンツを受信することができる。具体的に、信号受信部１，２，３は、チューナー、復調器、等化器、デコーダなどのような構成を含むことができ、このような構成により、異なる放送チャネルを通じて伝送されるコンテンツを受信することができる。信号受信部１，２，３のそれぞれに含まれる各構成は公知の技術であるため、各構成の動作説明は省略するものとする。
【０１４１】
一方、信号受信部２１０は、例えば、ＣＡＲＴ、ＡＶ、ＨＤＭＩ、ＣＯＭＰＯＮＥＮＴ、ＵＳＢインターフェースの少なくとも一つのインターフェースを介して、ウェブサーバーのようなソース装置、あるいはＤＶＤ装置のような再生装置からコンテンツを受信することができる。
【０１４２】
このように信号受信部１，２，３を介して異なるコンテンツを受信すると、信号処理部２２０は、受信したそれぞれのコンテンツがディスプレイ部１３０から出力可能なように信号処理を行う。このような信号処理部２２０は、信号受信部１，２，３と対応する個数で構成されて、信号受信部１，２，３を介して受信したコンテンツのそれぞれに含まれたビデオデータ、オーディオデータ及び付加データを出力可能な形態に信号処理する。このような信号処理部２２０は図７のように構成することができる。
【０１４３】
図７に示すように、信号処理部２２０は、受信した複数のコンテンツのそれぞれに含まれたビデオデータ、オーディオデータ及び付加データを出力可能な形態に変換し、該変換されたそれぞれのビデオデータ、オーディオデータ及び付加データを圧縮してディスプレイ部１３０に伝送する。このような信号処理部２２０は、ビデオ処理部２２２、オーディオ処理部２２６、付加データ処理部２２４、及びデータ圧縮部２２８で構成することができる。
【０１４４】
ビデオ処理部２２２は、受信した各コンテンツに含まれたビデオデータを検出し、該検出されたビデオデータの映像フレームがディスプレイ部１３０で画面にディスプレイされるように変換する。そして、オーディオ処理部２２６は、受信した各コンテンツに含まれたオーディオデータを検出し、該検出されたオーディオデータがディスプレイ部１３０を介してメガネ装置に伝送され、当該メガネ装置から可聴音の形態で出力可能なように変換する。そして、付加データ処理部２２４は、受信した各コンテンツに含まれたＥＰＧ（Ｅｌｅｃｔｒｏｎｉｃ  Ｐｒｏｇｒａｍ  Ｇｕｉｄｅ）及び字幕のような付加データを検出する。その後、付加データ処理部２２４は、検出された付加データのそれぞれがディスプレイ部１３０の画面上に表示されるように当該付加データと対応する映像フレームに付加する。
【０１４５】
このように、ビデオ処理部２２２、オーディオ処理部２２６、付加データ処理部２２４を用いて、コンテンツに含まれたビデオデータ、オーディオデータ及び付加データを出力可能な形態に変換する技術は公知の技術であるため、ここではその詳細な説明を省略する。
【０１４６】
一方、データ圧縮部２２８は、ビデオ処理部２２２、オーディオ処理部２２６及び付加データ処理部２２４で処理されたビデオデータ、オーディオデータ及び付加データのそれぞれを圧縮する。前述したように、信号処理部２２０とディスプレイ部１３０とは単一のケーブル３００を介して接続される。そのため、データ圧縮部２２８は、ビデオ処理部２２２、オーディオ処理部２２６及び付加データ処理部２２４で処理されたビデオデータ、オーディオデータ及び付加データを、単一のケーブル３００を介してディスプレイ部１３０に伝送できるようなサイズに圧縮することが望ましい。これにより、信号処理部２２０は、データ圧縮部２２８で圧縮されたビデオデータ、オーディオデータ及び付加データを単一のケーブル３００を介してディスプレイ部１３０に伝送することができる。
【０１４７】
一方、信号処理部２２０とディスプレイ部１３０とを接続して、信号処理部２２０で処理されたデータ及び電源供給部２７０から供給される電源をディスプレイ装置１００に提供するケーブル３００は、第１の信号接続部３２０及び第２の信号接続部３３０と、第１の電源接続部３４０及び第２の電源接続部３５０を含むことができる。
【０１４８】
第１の信号接続部３２０は、信号処理部２２０に設けられたタブまたはレセプタクル端子、及びケーブル３００の一端に設けられたレセプタクルまたはタブ端子を含み、互いに結合または分離可能である。
【０１４９】
同様に、第２の信号接続部３３０は、ディスプレイ部１３０に設けられたタブまたはレセプタクル端子、及びケーブル３００の他端に設けられたレセプタクルまたはタブ端子を含み、互いに結合または分離可能である。
【０１５０】
第１の電源接続部３４０は、信号処理部２２０に設けられたタブまたはレセプタクル端子、及びケーブル３００の一端に設けられたレセプタクルまたはタブ端子を含み、互いに結合または分離可能である。
【０１５１】
同様に、第２の電源接続部３５０は、ディスプレイ部１３０に設けられたタブまたはレセプタクル端子、及びケーブル３００の他端に設けられたレセプタクルまたはタブ端子を含み、互いに結合または分離可能である。
【０１５２】
上述の第１の信号接続部３２０及び第２の信号接続部３３０は、例えば、既存のＵＳＢ端子、ＨＤＭＩ端子、ＬＡＮ端子、ＳＣＡＲＴ端子、ＲＳ２３２端子、ＯＰＴＩＣＡＬ端子、ＲＦ送受信部を採用することもでき、別途に構成した接続端子を用いることもできる。
【０１５３】
同様に、上述の第１の電源接続部３４０及び第２の電源接続部３５０は、既存のＵＳＢ端子や別途に構成した端子を用いて、信号処理モジュール２００とディスプレイ装置１００間に電源を伝達することができる。
【０１５４】
このように、本発明に係る放送受信装置１は、単一のケーブル３００を介して、信号処理部２２０で圧縮処理されたビデオデータ、オーディオデータ及び付加データと電源供給部２７０から供給される電源をディスプレイ部１３０に伝送することができる。以下では、信号処理部２２０で圧縮処理されたビデオデータ、オーディオデータ及び付加データと電源供給部２７０から供給される電源をディスプレイ部１３０に伝送するケーブル３００の接続方式について詳細に説明する。
【０１５５】
図８は、本発明の一実施例に係る放送受信装置１における信号処理部２２０とディスプレイ部１３０との接続方式を示す図である。図８に示すように、ディスプレイ部１３０は、信号受信部１，２，３（２１０−１，２１０−２，２１０−３）の少なくとも一つから受信したコンテンツを、ビデオ及びオーディオとして出力することができる。具体的に、信号受信部１，２，３（２１０−１，２１０−２，２１０−３）のうち、信号受信部１（２１０−１）を介して第１のコンテンツを受信すると、信号処理部１（２２０−１）は、前述したように、受信された第１のコンテンツに含まれたビデオデータ、オーディオデータ及び付加データを出力可能な形態に信号処理した後、信号処理されたビデオデータ、オーディオデータ及び付加データを圧縮することができる。これにより、信号処理部１（２２０−１）と接続されたケーブル３００−１は、信号処理部２２０−１で圧縮処理された第１のコンテンツのビデオデータ、オーディオデータ及び付加データをディスプレイ部１３０に伝送することができる。
【０１５６】
具体的に、信号処理部１（２２０−１）は、第１の信号接続部１（３２０−１）を介して、圧縮処理された第１のコンテンツのビデオデータ、オーディオデータ及び付加データを出力する。そのため、ケーブル１（３００−１）には、第１の信号接続部１（３２０−１）を介して、信号処理部１（２２０−１）から出力される第１のコンテンツに対する圧縮処理されたビデオデータ、オーディオデータ及び付加データが入力され、ケーブル１（３００−１）は、入力された第１のコンテンツに対する圧縮処理されたビデオデータ、オーディオデータ及び付加データを第２の信号接続部１（３３０−１）に伝送する。
【０１５７】
したがって、ディスプレイ部１３０は、ケーブル１（３００−１）を介して伝達された第１のコンテンツに対する圧縮処理されたビデオデータ、オーディオデータ及び付加データをビデオ及びオーディオとして出力することができる。
【０１５８】
一方、本発明に係るディスプレイ部１３０は、複数のコンテンツの個数に対応するようにケーブル１，２，３（３００−１，３００−２，３００−３）の個数を増加させて、複数のコンテンツをマルチビューディスプレイに出力することができる。この場合、ケーブル１，２，３（３００−１，３００−２，３００−３）は、マルチビューフレームに含まれるコンテンツの個数に対応する個数とすることが好ましい。そのため、ケーブル１，２，３（３００−１，３００−２，３００−３）を介して互いに接続される第１の信号接続部１，２，３（３２０−１，３２０−２，３２０−３）及び第２の信号接続部３３０−１，３３０−２、３３０−３も、マルチビューフレームに含まれるコンテンツの数に対応する個数とすることができる。このようなそれぞれのケーブル３００−１，３００−２，３００−３は、マルチビューでディスプレイされるコンテンツ数に応じて追加したりまたは分離したりすればよい。
【０１５９】
同図に示すように、信号受信部２１０−１，２１０−２，２１０−３を介して第１乃至第３のコンテンツが受信される場合に、ケーブル３００−１，３００−２，３００−３は、第１乃至第３のコンテンツに含まれたそれぞれのデータをディスプレイ部１３０に伝送することができる。具体的に、信号受信部２１０−１，２１０−２，２１０−３を介して第１乃至第３のコンテンツが受信されると、第１の信号処理部１，２，３（２２０−１，２２０−２，２２０−３）は、信号受信部１，２，３（２１０−１，２１０−２，２１０−３）から受信した第１乃至第３のコンテンツに含まれたビデオデータ、オーディオデータ及び付加データに対する信号処理を行う。また、信号処理部１，２，３（２２０−１，２２０−２，２２０−３）のそれぞれは、信号処理された第１乃至第３のコンテンツのビデオデータ、オーディオデータ及び付加データをケーブル３００−１，３００−２，３００−３を介して伝送可能な形態に圧縮する。
【０１６０】
次いで、信号処理部１，２，３（２２０−１，２２０−２，２２０−３）のそれぞれは、圧縮された第１乃至第３のコンテンツのビデオデータ、オーディオデータ及び付加データを、ケーブル１，２，３（３００−１，３００−２，３００−３）を介してディスプレイ部１３０に伝送する。この時、第１の電源接続部（図６の３４０）はケーブル３００−１，３００−２，３００−３を介して第２の電源接続部（図６の３５０）に、電源供給部（図６の２７０）から供給される電源を伝送することができる。一方、信号処理モジュール２００に必要な電源がディスプレイ装置１００から供給されるようにしてもよく、信号処理モジュール２００及びディスプレイ装置１００の両方に電源供給装置が備えられてもよい。
【０１６１】
このように、本発明に係るディスプレイ装置は、一つのケーブル３００を介して、コンテンツのビデオデータ、オーディオデータ及び付加データの処理信号及び電源をディスプレイ部１３０に提供することによって、コンテンツに対する信号処理を行う信号処理部２２０とディスプレイ部１３０間の接続ケーブルをシンプルに具現することができる。のみならず、本発明に係る放送受信装置は、複数のコンテンツが受信される場合に、受信される複数のコンテンツに対応してケーブル３００の数を増加させて信号処理部２２０とディスプレイ部１３０とを接続させることによって、複数のコンテンツに対するマルチビューディスプレイを支援することができる。
【０１６２】
具体的に、複数の第２の信号接続部１，２，３（３３０−１，３３０−２，３３０−３）を介して入力される第１乃至第３のコンテンツのビデオデータ及び付加データは、映像フレーム単位に出力することができる。そのため、ディスプレイ部１３０は、複数の第２の信号接続部１，２，３（３３０−１，３３０−２，３３０−３）から出力される第１乃至第３のコンテンツの映像フレームを交互に配置されるようにマルチプレクシングする。次いで、ディスプレイ部１３０は、マルチプレクシングされた第１乃至第３のコンテンツの映像フレームをマルチビューフレームとしてディスプレイする。ここで、マルチビューフレームとは、複数のユーザーが複数のコンテンツをそれぞれ視聴できるように構成されたフレームデータのことを意味する。このようなマルチビューフレームが出力されると、メガネ装置は、第１乃至第３のコンテンツのうち、同期化したコンテンツの映像フレームが出力される出力タイミングに合わせて左眼及び右眼シャッターグラスをオンさせ、これにより、複数のユーザーはそれぞれ異なるコンテンツのビデオ映像を見ることができる。
【０１６３】
また、複数の第２の信号接続部１，２，３（３３０−１，３３０−２，３３０−３）を介して第１乃至第３のコンテンツのビデオデータ及び付加データが入力されると、ディスプレイ部１３０は複数のメガネ装置５０２に第１乃至第３のコンテンツのオーディオデータを伝送することができる。例えば、ディスプレイ部１３０は、異なる周波数チャネルを通じてオーディオデータを伝送したり、あるいは、第１乃至第３のコンテンツの映像フレームの配置パターンと対応するパターンに複数のそれぞれのオーディオデータを組み合わせたオーディオ信号ストリームを生成して伝送したりできる。そのため、メガネ装置５０２を着用した複数のユーザーは、メガネ装置５０２を通してそれぞれ異なるコンテンツのビデオ映像を見ることができる他、当該コンテンツと関連したオーディオを聴取することもできる。
【０１６４】
図９は、本発明の他の実施例に係る放送受信装置の信号処理モジュール２００とディスプレイ装置１００との接続方式を示す図である。図９に示すように、ケーブル３００は、信号処理部１（２２０−１）の第１の信号接続部１（３２０−１）、信号処理部２（２２０−２）の第１の信号接続部２（３２０−２）、及び信号処理部３（２２０−３）の第１の信号接続部３（３２０−３）に接続されたＭＵＸ  ３１０と第２の信号接続部３３０とを接続することができる。
【０１６５】
図９に示すように、ＭＵＸ  ３１０は、信号処理モジュール２００の複数の信号処理部１，２，３（２２０−１，２２０−２，２２０−３）から出力されたそれぞれのデータをマルチプクシングする。単一のケーブル３００は、ＭＵＸ  ３１０と第２の信号接続部３３０とを接続して、ＭＵＸでマルチプクシングされたそれぞれのデータをディスプレイ部１３０に伝達する。
【０１６６】
信号受信部１，２，３（２１０−１，２１０−２，２１０−３）を介して第１乃至第３のコンテンツが受信されると、信号処理部１，２，３（２２０−１，２２０−２，２２０−３）は、第１乃至第３のコンテンツに含まれたビデオデータ、オーディオデータ及び付加データに対する信号処理を行う。また、信号処理部１，２，３（２２０−１，２２０−２，２２０−３）のそれぞれは、信号処理された第１乃至第３のコンテンツのビデオデータ、オーディオデータ及び付加データを伝送可能な形態に圧縮する。
【０１６７】
次いで、信号処理部１，２，３（２２０−１，２２０−２，２２０−３）のそれぞれは、圧縮した第１乃至第３のコンテンツのビデオデータ、オーディオデータ及び付加データをＭＵＸ  ３１０に出力する。ＭＵＸ  ３１０は、入力された第１乃至第３のコンテンツのデータをマルチプクシングした後に、該マルチプクシングしたデータを、ＭＵＸ  ３１０と第２の信号接続部３３０とを接続するケーブル３００を介して第２の信号接続部３３０に伝送する。
【０１６８】
この時、ＭＵＸ  ３１０は、信号処理モジュール２００の第１の電源接続部３４０と第１のケーブル３０２−１，３０２−２，３０２−３を介して、または第２の電源接続部３５０と第２のケーブル３００を介して電源が供給されて動作することができる。もちろん、ＭＵＸ  ３１０は、信号処理モジュール２００内に設けられてもよく、この場合、ＭＵＸ  ３１０は、信号処理モジュール２００の電源供給部２７０から電源が供給されて動作することもできる。
【０１６９】
このように、本発明に係る放送受信装置１は、ＭＵＸ  ３１０を用いて第１乃至第３のコンテンツのデータをマルチプクシングした後、マルチプクシングしたデータを単一のケーブル３００を介してディスプレイ部１３０に伝送することによって、複数の信号処理部１，２，３（２２０−１，２２０−２，２２０−３）とディスプレイ部１３０との接続をシンプルに具現することができる。
【０１７０】
一方、ディスプレイ部１３０は、マルチプクシングした第１乃至第３のコンテンツのデータを、ビデオデータ、オーディオデータ及び付加データに分離した後に、分離されたそれぞれのデータをビデオ及びオーディオとして出力することができる。
【０１７１】
具体的に、マルチプクシングしたデータから分離されたビデオデータ及び付加データを、映像フレーム単位に出力することができる。したがって、ディスプレイ部１３０は、第１乃至第３のコンテンツの映像フレームを交互に配置されるようにマルチプレクシングする。次いで、ディスプレイ部１３０は、マルチプレクシングされた第１乃至第３のコンテンツの映像フレームを、マルチビューフレームとして表示する。ここで、マルチビューフレームとは、複数のユーザーが複数のコンテンツをそれぞれ視聴できるように構成されたフレームデータのことを意味する。このようなマルチビューフレームが出力されると、メガネ装置は、第１乃至第３のコンテンツのうち同期化したコンテンツの映像フレームが出力される出力タイミングに合わせて左眼及び右眼シャッターグラスをオンさせ、これにより、複数のユーザーは、それぞれ異なるコンテンツのビデオ映像を見ることができる。
【０１７２】
また、マルチプクシングしたデータからオーディオデータが分離されると、ディスプレイ部１３０は複数のメガネ装置５０２に第１乃至第３のコンテンツのオーディオデータを伝送することができる。例えば、ディスプレイ部１３０は、異なる周波数チャネルを通じてオーディオデータを伝送したり、あるいは、第１乃至第３のコンテンツの映像フレームの配置パターンと対応するパターンに複数のそれぞれのオーディオデータを組み合わせたオーディオ信号ストリームを生成して伝送したりできる。そのため、メガネ装置５０２を着用した複数のユーザーは、当該メガネ装置５０２を通して、異なるコンテンツのビデオ映像を見ることができる他、同時に当該コンテンツと関連したオーディオを聴取することができる。
【０１７３】
図１０は、本発明のさらに他の実施例に係る放送受信装置における信号処理モジュール２００とディスプレイ装置１００との接続方式を示す図である。図１０に示すように、ケーブル３００は、エンコーダ３６０及びデコーダ３７０を含む。
【０１７４】
具体的に、エンコーダ３６０は、信号処理モジュール２００の複数の信号処理部１，２，３（２２０−１，２２０−２，２２０−３）から入力されたそれぞれのデータをエンコーディングし、デコーダ３７０は、エンコーダ３６０でエンコーディングされたデータをデコーディングする。
【０１７５】
同図に示すように、信号受信部１，２，３（２１０−１，２１０−２，２１０−３）を介して第１乃至第３のコンテンツが受信されると、信号処理部２２０−１，２２０−２，２２０−３は、信号受信部１，２，３（２１０−１，２１０−２，２１０−３）から受信した第１乃至第３のコンテンツに含まれたビデオデータ、オーディオデータ及び付加データに対する信号処理を行う。次いで、信号処理部２２０−１，２２０−２，２２０−３のそれぞれは、信号処理された第１乃至第３のコンテンツのデータを第１の信号接続部１，２，３（３２０−１，３２０−２，３２０−３）を介してエンコーダ３６０に出力されるように圧縮した後、圧縮データをエンコーダ３６０に伝送する。
【０１７６】
この時、第２のケーブル３０２は、第１乃至第３のコンテンツに対する圧縮データと共に、電源供給部（図６の２７０）から供給される電源をエンコーダ３６０に伝送する。これにより、エンコーダ３６０は、第２のケーブル３０２を介して供給される電源で駆動され、第１乃至第３のコンテンツに対する圧縮データが単一の第１のケーブル３００を介してデコーダ３７０に伝送されるようにエンコーディングを行う。この時、エンコーダ３６０は、第２のケーブル３０２を介して供給される電源及びエンコーディングされたデータを共にデコーダ３７０に伝送することが好ましい。
【０１７７】
エンコーダ３６０からエンコーディングされたデータ及び電源が伝送されると、デコーダ３７０は、伝送された電源で駆動して、エンコーディングされたデータをデコーディングする。次いで、デコーダ３７０は、デコーディングされたデータ及び供給された電源を第３のケーブル３０４に伝達し、第３のケーブル３０４は、デコーディングされたデータ及び電源をディスプレイ装置１００に出力する。本実施例において、ディスプレイ装置１００は、例えば、第２の信号接続部３３０（図７参照）及び第２の電源接続部３５０（図７参照）を含むことができ、デコーディングされたデータ及び電源を、第２の信号接続部３３０及び第２の電源接続部３５０でそれぞれ受信することができる。該デコーディングされたデータ及び電源が入力されると、ディスプレイ部１３０は、供給された電源で駆動して、第１乃至第３のコンテンツのデータを出力することができる。このように、本発明に係る放送受信装置１は、一つのケーブル３００，３０２，３０４を介して複数のコンテンツのデータ及び電源をディスプレイ部１３０に提供することによって、コンテンツの信号処理を行う信号処理部２２０とディスプレイ部１３０との接続関係をシンプルに具現しながら、同時にマルチビューディスプレイを支援することができる。
【０１７８】
一方、入力された第１乃至第３のコンテンツのデータをビデオ及びオーディオでとして出力するディスプレイ部１３０の動作は上述した通りであり、以下ではその説明が省かれる。また、本発明では、複数の信号処理部１，２，３（２２０−１，２２０−２，２２０−３）とディスプレイ部１３０とを接続するケーブル３００がエンコーダ３６０及びデコーダ３７０を含むとしたが、本発明はこれに限定されず、エンコーダ３６０は信号処理モジュール２００に設けられてエンコーディングを行い、デコーダ３７０はディスプレイ部１３０に設けられて、エンコーディングされたデータをデコーディングすることもできる。
【０１７９】
以下、本発明に係る放送受信装置１において単一のケーブルを用いて複数のコンテンツに対するマルチビューディスプレイ支援及び電源供給を行う方法について詳細に説明する。
【０１８０】
図１１は、本発明の一実施例に係るディスプレイ装置でのマルチビューディスプレイ方法を示すフローチャートである。図１１に示すように、信号処理モジュール２００は、異なる複数のコンテンツを受信する（Ｓ１１０）。異なる複数のコンテンツを受信すると、信号処理部２２０は、複数のコンテンツに含まれたビデオデータ、オーディオデータ及び付加データを出力可能な形態に信号処理する（Ｓ１２０）。信号処理部２２０で複数のコンテンツに含まれたビデオデータ、オーディオデータ及び付加データが出力可能な形態に信号処理されると、信号処理部２２０で信号処理されたデータ、及び外部から供給される電源を、ディスプレイ部１３０に伝送する（Ｓ１３０）。次いで、ディスプレイ部１３０は、信号処理部２２０から伝送された電源により駆動して、信号処理された複数のコンテンツのデータを出力する（Ｓ１４０）。
【０１８１】
前述したように、異なる複数のコンテンツを受信すると、信号処理モジュール２００は、信号処理部２２０を用いて複数のコンテンツが出力部から出力可能なように信号処理を行う。例えば、第１乃至第３のコンテンツを受信すると、信号処理部２２０は、信号処理部１，２，３（２２０−１，２２０−２，２２０−３）を用いて、第１乃至第３のコンテンツに含まれたビデオデータ、オーディオデータ及び付加データを出力可能な形態に信号処理する。このような信号処理部でコンテンツを出力可能な形態に信号処理してディスプレイ部１３０に伝達する動作については、図７乃至図１０を用いて詳細に説明したため、以下ではその説明を省略する。
【０１８２】
図１２は、本発明の他の実施例に係る放送受信装置１を示す図である。同図に示すように、放送受信装置１は、外部の映像供給源１０−１から提供される映像信号を信号処理過程によって処理して映像として表示するディスプレイ装置４００と、ディスプレイ装置４００のハードウェアをアップグレードする信号処理モジュール５００と、を備える。
【０１８３】
この実施例に係る放送受信装置１で、ディスプレイ装置４００を、放送局の送出装備から受信した放送信号／放送情報／放送データに基づいて放送映像を表示するＴＶとした場合について説明する。しかし、本発明の思想は、ディスプレイ装置４００をＴＶにした場合に限定されず、映像を表示できる様々な種類のディスプレイ装置を用いることもできる。
【０１８４】
また、ディスプレイ装置４００で表示可能な映像の種類は放送映像に限定されず、例えば、ディスプレイ装置４００は、様々な形式の映像供給源１０−１から受信される信号／データに基づいた動映像、静止映像、アプリケーション（ａｐｐｌｉｃａｔｉｏｎ）、ＯＳＤ（ｏｎ−ｓｃｒｅｅｎ  ｄｉｓｐｌａｙ）、様々な動作制御のためのＧＵＩ（ｇｒａｐｈｉｃ  ｕｓｅｒ  ｉｎｔｅｒｆａｃｅ）などの映像を表示することができる。
【０１８５】
信号処理モジュール５００はディスプレイ装置４００と通信可能に接続される。信号処理モジュール５００は、接続されたディスプレイ装置４００の既存ハードウェア構成をアップグレードし、アップグレードしたディスプレイ装置４００のハードウェア構成により映像信号が処理されるようにすることによって、より向上した画質の映像を表示可能にする。
【０１８６】
信号処理モジュール５００はディスプレイ装置４００に有線または無線で接続することができる。本実施例に係る信号処理モジュール５００はディスプレイ装置４００に有線で接続して、信号処理モジュール５００及びディスプレイ装置４００間にデータ／情報／信号／電源の送受信を可能にする。信号処理モジュール５００及びディスプレイ装置４００は、相互間の物理的／電気的接続のためのコネクタ／端子構成６２０，６４０，６３０，６５０をそれぞれ含むことができる。
【０１８７】
ディスプレイ装置４００は外部から受信される映像信号を単独で信号処理過程によって処理して映像として表示することができる。しかし、本実施例によれば、ディスプレイ装置４００と信号処理モジュール５００との接続により、上記の信号処理過程を行う放送受信装置１のハードウェア／ソフトウェア構成をアップグレードし、結果として、相対的に画質の向上した映像をユーザーに提供することができる。
【０１８８】
以下、ディスプレイ装置４００及び信号処理モジュール５００の構成について、図１３乃至図１６を参照して説明する。図１３は、図１２の放送受信装置１を構成するディスプレイ装置４００及び信号処理モジュール５００の構成ブロック図である。
【０１８９】
図１３に示すように、ディスプレイ装置４００は、外部から第１の映像供給源１０−１を介して信号を受信する第１の信号受信部４１０と、第１の信号受信部４１０から受信した映像信号を処理する第１の信号処理部４２０と、第１の信号処理部４２０で処理された映像信号を映像として表示するディスプレイ部４３０と、ユーザーの操作に応じて既に設定されたコマンドを出力するユーザー入力部４４０と、限定されないデータ／情報が保存される第１の記憶部４５０と、ディスプレイ装置４００の諸般構成の動作を制御する第１の制御部４６０と、外部の信号処理モジュール５００と信号を送受信するための第１の信号接続部６２０と、を備えることができる。
【０１９０】
第１の映像供給源１０−１は、放送局から放送信号を受信するための第１のアンテナを含むことができる。
【０１９１】
第１の映像供給源１０−１から受信される映像信号は、第１の信号処理部４２０に伝達したり、信号接続部６２０を介して信号処理モジュール５００の第２の信号接続部６３０に伝達したりできる。このように受信されて伝達される映像信号は、規格や、第１の映像供給源１０−１及びディスプレイ装置４００の具現方式に対応して様々な方式を有することができる。例えば、第１の信号接続部６２０は、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ、コンポーネント（ｃｏｍｐｏｎｅｎｔ）などの規格に基づく信号／データを受信することができ、これらの各規格に対応する複数の接続端子（図示せず）を含む。このような各接続端子（図示せず）に第１の映像供給源１０−１をはじめとする様々な外部装置が接続されることによって、第１の信号接続部６２０を経由した通信が可能になる。すなわち、第１の信号接続部６２０に接続される外部装置は、映像供給源１０−１に限定されず、第１の信号接続部６２０を介してディスプレイ装置４００と信号／データの送受信が可能ないかなる装置も第１の信号接続部６２０に接続することができ、本実施例によれば、信号処理モジュール５００を第１の信号接続部６２０に接続することができる。
【０１９２】
第１の信号処理部４２０は、第１の信号接続部６２０から受信される映像信号に、既に設定された様々な信号処理過程を行う。第１の信号処理部４２０は、このように信号処理された映像信号をディスプレイ部４３０に出力して、ディスプレイ部４３０に当該映像信号に基づく映像が表示されるようにする。
【０１９３】
第１の信号処理部４２０が行う信号処理の種類は、特に限定されず、例えば、所定の信号を各特性別の信号に分配するデマルチプレクシング（ｄｅ−ｍｕｌｔｉｐｌｅｘｉｎｇ）、映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式に変換するデインターレーシング（ｄｅ−ｉｎｔｅｒｌａｃｉｎｇ）、映像信号を既に設定された解像度に調整するスケーリング（ｓｃａｌｉｎｇ）、映像画質の改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈｒａｔｅ）変換などを含むことができる。
【０１９４】
第１の信号処理部４２０は、このようなプロセスを行うための様々なチップセット（図示せず）、メモリ（図示せず）、電子部品（図示せず）、配線（図示せず）などの回路構成が印刷回路基板（図示せず）上に実装された映像処理ボード（図示せず）とする。
【０１９５】
ディスプレイ部４３０は、第１の信号処理部４２０から出力される映像信号に基づいて映像を表示する。ディスプレイ部４３０の具現方式は、特に限定されず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導型電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）などの様々なディスプレイ方式とすることができる。
【０１９６】
ディスプレイ部４３０は、その具現方式に応じて付加的な構成をさらに備えることができる。例えば、ディスプレイ部４３０が液晶方式であれば、ディスプレイ部４３０は、液晶ディスプレイパネル（図示せず）と、該パネルに光を供給するバックライトユニット（図示せず）と、パネル（図示せず）を駆動させるパネル駆動基板（図示せず）と、を備える。
【０１９７】
ディスプレイ部４３０は、上記の第１の信号接続部６２０を介して処理されて受信された信号のタイミングを制御するタイミング制御部（Ｔ−ｃｏｎ）４３２と、ラインバッファー（図示せず）、フレームメモリ（図示せず）、階調変換回路（図示せず）、表示パネル（図示せず）などを備えることができる。タイミング制御部（Ｔ−ｃｏｎ）４３２は、第１の信号接続部６２０から入力された映像信号を表示パネルに表示するために、例えば、イネーブル信号、スタートパルス信号、垂直シフトクロック信号、クロック信号、ラッチパルス信号などを発生することができる。
【０１９８】
ユーザー入力部４４０は、ユーザーの操作及び入力に応じて、既に設定された様々な制御コマンドまたは限定されない情報を第１の制御部４６０に伝達する。ユーザー入力部４４０は、ディスプレイ装置４００の外側に設けられたメニューキー（ｍｅｎｕ−ｋｅｙ）及び入力パネル（ｐａｎｅｌ）や、ディスプレイ装置４００と別個に設けられたリモートコントローラ（ｒｅｍｏｔｅ  ｃｏｎｔｒｏｌｌｅｒ）などとすることができる。
【０１９９】
または、ユーザー入力部４４０をディスプレイ部４３０と一体型にしてもよい。すなわち、ディスプレイ部４３０がタッチスクリーン（ｔｏｕｃｈ−ｓｃｒｅｅｎ）であれば、ユーザーは、ディスプレイ部４３０に表示された入力メニュー（図示せず）を用いて、既に設定されたコマンドを第１の制御部４６０に伝達することもできる。
【０２００】
第１の記憶部４５０は、第１の制御部４６０の制御に応じて、限定されないデータを保存する。第１の記憶部４５０は、フラッシュメモリ（ｆｌａｓｈ−ｍｅｍｏｒｙ）、ハードディスクドライブ（ｈａｒｄ−ｄｉｓｃ  ｄｒｉｖｅ）のような不揮発性メモリとすることができる。第１の記憶部４５０は、第１の制御部４６０によりアクセスされ、第１の制御部４６０によるデータの読み取り／書き込み／修正／削除／更新などが行われる。
【０２０１】
第１の記憶部４５０に保存されるデータは、例えば、ディスプレイ装置４００の駆動のための運営システムをはじめとして、この運営システム上で実行可能な様々なアプリケーション、映像データ、付加データなどを含む。また、第１の記憶部４５０は、信号処理モジュール５００を入れ替える場合に、該信号処理モジュール５００の第２の記憶部５５０に保存されたデータをバックアップして保存することができる。
【０２０２】
以下、信号処理モジュール５００の構成について、図１３乃至図１６を参照して説明する。
【０２０３】
信号処理モジュール５００は、ディスプレイ装置４００の第１の信号接続部６２０に接続される第２の信号接続部６３０と、外部の第２の映像供給源１０−２から映像信号を受信する第２の信号受信部５１０と、第１の信号処理部４２０の信号処理過程の少なくとも一部に対応するプロセスを処理できる第２の信号処理部５２０と、限定されないデータ／情報が保存される第２の記憶部５５０と、信号処理モジュール５００の動作全般を制御する第２の制御部５６０と、を備える。
【０２０４】
第２の信号接続部６３０は、第１の信号接続部６２０に接続されて、信号処理モジュール５００とディスプレイ装置４００との通信を可能にする。第２の信号接続部６３０は、第１の信号接続部６２０と接続するように第１の信号接続部６２０に対応する規格に基づいて設けられ、第１の信号接続部６２０の複数の接続端子（図示せず）のうち少なくとも一つの接続端子（図示せず）に接続することができる。
【０２０５】
例えば、第２の信号接続部６３０は、第１の信号接続部６２０の複数の接続端子（図示せず）のうち、ディスプレイ装置４００及び信号処理モジュール５００間に映像信号が送受信されるようにＨＤＭＩ端子（図示せず）に、そしてデータ及び電源が送受信されるようにＵＳＢ端子（図示せず）にそれぞれ接続することができる。しかし、これは一例に過ぎず、第１の信号接続部６２０及び第２の信号接続部６３０間の接続方式は、上記の実施例に限定されず、様々な形態で具現可能である。
【０２０６】
第２の映像供給源１０−２は、放送局から放送信号を受信するための第２のアンテナを含むことができる。
【０２０７】
第２の信号受信部５１０は、第２の映像供給源１０−２のアンテナからチャネル信号を受信して選択する複数の第２のチューナー１，２，…，Ｎを有することができる。第２の信号処理部５２０は、ディスプレイ装置４００で第１の信号処理部４２０により行われる少なくとも一部の第１のプロセスに対応する第２のプロセスを行うことができる。第１のプロセス及び第２のプロセスは相互区別のために便宜上付けた名称であり、また、一つの単位プロセスでもよく、複数の単位プロセスでもよい。第２のプロセスは第１のプロセスに比べて機能的に向上するが、これはチップセットのようなハードウェアの改善、またはアルゴリズム／実行コード／プログラムのようなソフトウェアの改善により実現される。
【０２０８】
第２の信号処理部５２０は、ディスプレイ装置４００及び信号処理モジュール５００の接続時に、第１の制御部４６０または第２の制御部５６０の制御に応じて、第１のプロセスに代えて第２のプロセスを行う。このように、信号処理過程が行われる際に、第１のプロセスよりも機能的に向上した第２のプロセスが第１のプロセスに代えたり、第１のプロセス及び第２のプロセスを同時に併行することによって、結果として、全体的な信号処理過程の効率が向上できる。これに関する詳細な実施例については後述する。
【０２０９】
第２の記憶部５５０は、限定されないデータを保存する。第２の記憶部５５０は、フラッシュメモリ（ｆｌａｓｈ  ｍｅｍｏｒｙ）、ハードディスクドライブ（ｈａｒｄ  ｄｉｓｃ  ｄｒｉｖｅ）のような不揮発性メモリとすることができる。第２の記憶部５５０は、第１の制御部４６０または第２の制御部５６０によりアクセスされ、これらの制御部によるデータの読み取り／書き込み／修正／削除／更新などが行われる。一方、第１の記憶部４５０も、具現方式によって、第１の制御部４６０の他、第２の制御部５６０によりアクセスされてもよい。
【０２１０】
第２の制御部５６０は、全体的な信号処理のアップグレードを行うための、ディスプレイ装置４００及び信号処理モジュール５００間の接続動作を制御する。第２の制御部５６０及び第１の制御部４６０はＣＰＵで具現することができ、第２の制御部５６０が第１の制御部４６０よりも向上した機能を果たすことができると、第２の制御部５６０は第１の制御部４６０をディセーブルさせ、第１の制御部４６０に代えて放送受信装置１全体の動作を制御することもできる。または、第２の制御部５６０は第１の制御部４６０と併行して放送受信装置１全体の動作を制御することもできる。
【０２１１】
一つのチューナーは一つのチャネルのみをチューニングして信号処理部に映像／音声信号を提供し、制御部にはデータ信号を提供する。視聴者がいずれか一チャネルを選択して視聴する時に、同時に異なるチャネルの映像／音声及びデータ信号を用いようとする場合には、別途のチューナーを備えていなければならない。
【０２１２】
図１３に示すように、本発明に係る放送受信装置１は、ユーザーがマルチチューナーを用いてマルチチャネルを視聴できるように、ディスプレイ装置４００及び信号処理モジュール５００のそれぞれに第１のチューナー及び第２のチューナーを備えることができる。
【０２１３】
以下、本発明のマルチチューナーによるチューニング動作について説明する。
【０２１４】
信号処理モジュール５００が装着された場合に、必要によって、信号処理モジュール内に備えられたり別に提供されるアップグレード用の制御ソフトウェアをディスプレイ装置４００に再設置または補充設置することができる。これは、追加されるマルチチューナーの機能をより效果的に具現するために、第１の制御部４６０と第２の制御部５６０との間に効率的な通信及び動作規定を新しく定立するためである。
【０２１５】
信号処理モジュール５００が装着された状態で第１の制御部４６０と第２の制御部５６０間の通信は有／無線で可能であり、信号処理モジュール５００で生成された映像／音声及びデータ信号も有／無線でディスプレイ装置４００に提供可能である。
【０２１６】
第１の制御部４６０及び第２の制御部５６０はその役割が分けられるが、例えば、ディスプレイ装置４００の第１の制御部４６０が主制御部でもよく、信号処理モジュール５００の第２の制御部５６０が主制御部でもよい。いずれの制御部が主制御部であれ、ディスプレイ装置４００の主動作中に付加動作として追加チューナーの機能が用いられる場合に、その具現順序は次の通りである。
【０２１７】
例えば、主画面に特定チャネルが画面として表示されている中に、副画面に他のチャネルの画面を表示したい場合は、第１の制御部４６０と第２の制御部５６０との通信により、信号処理モジュール５００内の第２のチューナーに目的のチャネルを選択させ、該第２のチューナーから出力される映像／音声、データ信号をディスプレイ装置４００に伝送する。この信号を用いてディスプレイ装置４００では副画面を表示すればよい。
【０２１８】
一方、図１３に示すように、アンテナがディスプレイ装置４００及び信号処理モジュール５００にそれぞれ接続されてもよいが、図１４に示すように、ディスプレイ装置４００または信号処理モジュール５００のいずれかに配置された一つのアンテナを共用してもよい。
【０２１９】
また、図１５に示すように、信号処理モジュール５００に接続されたアンテナから受信したストリームを、信号処理モジュール５００がディスプレイ装置４００に分岐して有無線で送信することもできる。この場合、既存に設置されたアンテナサンはそのままにしておき、追加される第２のチューナーにアンテナ信号を供給することができる。
【０２２０】
同様に、図１６に示すように、ディスプレイ装置４００に接続されたアンテナから受信したストリームを、ディスプレイ装置４００が信号処理モジュール５００側に分岐して有無線で送信することもできる。この場合、既存に設置されたアンテナサンはそのままにしておき、追加される第１のチューナーにアンテナ信号を供給することができる。
【０２２１】
図１７は、図１３で省略された、ディスプレイ装置４００の第１の電源供給部４７０及び信号処理モジュール５００の第２の電源供給部５７０を含む放送受信装置１を示すブロック図である。ここで、ディスプレイ装置４００の第１の電源供給部４７０が第１の電源接続部６４０及び第２の電源接続部６５０を介して信号処理モジュール５００の第２の電源供給部５７０に電源を供給する。
【０２２２】
第１の電源供給部４７０は、ディスプレイ装置４００で用いる全ての電源を供給する。第１の電源供給部４７０は、例えば、第１の制御部４６０を駆動するＣＰＵコア（ＣＰＵ  ｃｏｒｅ）電圧、第１の記憶部４５０を駆動するメモリ電圧、ユーザー入力装置４４０を駆動する入出力（Ｉ／Ｏ）電圧、ディスプレイ部４３０及びスピーカ（図示せず）を駆動する電圧、その他周辺機器を駆動する電圧などを発生する。第１の電源供給部４７０は、ＳＭＰＳ（Ｓｗｉｔｃｈｅｄ−ｍｏｄｅ  ｐｏｗｅｒ  ｓｕｐｐｌｙ）やＤＣ−ＤＣコンバータなどを含むことができる。
【０２２３】
本発明の実施例に係る電源供給部４７０は、信号処理モジュール５００に電源を供給するためにＤＣ電圧を出力する少なくとも一つの第１の電源接続部６４０を含むことができる。
【０２２４】
第２の電源供給部５７０は、ディスプレイ装置４００の第１の電源供給部４７０から電源を受けて、信号処理モジュール５００で必要とする電源を供給する。第２の電源供給部５７０はレギュレータを有してなることができる。
【０２２５】
図１７で、第１の信号接続部６２０及び第１の電源接続部６４０を、ユーザーが接続しやすいように一つのアップグレードポートで構成することができる。このアップグレードポートはＵＳＢポートを含むことができる。もちろん、第１の信号接続部６２０及び電源接続部６４０を、互いに分離した形態で構成してもよい。この場合、信号処理モジュール５００の電源は、ＵＳＢポートや、別途に構成された第１の電源接続部６４０に接続し、第１の信号接続部６２０は、例えばＨＤＭＩポートを用いることができる。
【０２２６】
第１の電源供給部４７０は、信号処理モジュール５００の消費電力が異なる場合に備えて、異なる出力を出す複数の出力ポート４７２−１，４７２−２，…を含むことができる。複数の出力ポート４７２−１，４７２−２，…はそれぞれ、複数の第１の電源接続部６４０−１，６４０−２，…に接続されて信号処理モジュール５００に接続することができる。例えば、出力ポート１（４７２−１）は０．５Ｖを出力し、出力ポート２（４７２−２）はＤＣ １．０Ｖを出力する構成とすることができる。
【０２２７】
このように、信号処理モジュール５００は音声及び映像を出力するディスプレイ部４３０やスピーカ（図示せず）を備えておらず、ＵＳＢポートを用いた電源でも十分に駆動することが可能である。一方、例外として、接続される信号処理モジュール５００が特定の周辺装置、ディスプレイ部４３０、スピーカ（図示せず）などを含めて駆動する必要がある場合には、単一出力値を有する一つの電源接続部のみでは不充分であるため、このような場合にも様々な値の電源を供給できるように設計する必要がある。
【０２２８】
例えば、図１８に示すように、第１の電源供給部４７０の出力ポート１（４７２−１）が第１の電源接続部１（６４０−１）を介して第１の信号処理モジュール５００に接続されているとすると、信号処理モジュール５００で用いる消費電力が、接続された出力ポート１（４７２−１）の最大出力値を超える場合は、ディスプレイ装置４００の部品を損ねたり性能を低下させたりすることがある。このような場合に、第１の電源供給部４７０は、既に接続された出力ポート１（４７２−１）を遮断する必要がある。
【０２２９】
図１９は、必要によって、異なる電源を供給する出力ポート４７２−１，４７２−２，…を選択できるように構成された第１の電源供給部４７０を示す図である。第１の電源供給部４７０は、信号処理モジュール５００の消費電力に応じて複数の出力ポート４７２−１，４７２−２，…４７２−ｎをオン／オフするようにそれぞれスイッチ４７４−１，４７４−２，…，１７４−ｎを備えることができる。また、複数のスイッチ４７４−１，４７４−２，…，４７４−ｎは、ディスプレイ装置４００の第１の制御部４６０によってスイッチングされてもよく、別途の電源制御部４７８によってスイッチングされてもよい。
【０２３０】
図２０に示すように、第１の制御部４６０または電源制御部４７８は、接続される信号処理モジュール５００の消費電力に基づいて複数の出力ポート４７２−１，４７２−２，…，４７２−ｎから一つを選択するように、ユーザーインターフェース（ＵＩ）７００を生成して表示することができる。
【０２３１】
ＵＩ  ７００は、ユーザーが信号処理モジュール５００を接続した時、複数の出力ポートＵＳＢ，ｐｏｒｔ  １，ｐｏｒｔ  ２のうち、現在接続してある出力ポート（例えば、ＵＳＢ）を示し、信号処理モジュール５００の消費電力に基づいた推奨の出力ポート（例えば、Ｐｏｒｔ  ２）を示すことができる。
【０２３２】
以下、図１乃至図４に示す本発明の実施例に係る放送受信装置１の放送受信方法について詳細に説明する。
【０２３３】
信号処理モジュール２００によりディスプレイ装置１００をアップグレードする具体的な実施例について説明すると、下記の通りである。
【０２３４】
図２１は、本実施例に係るディスプレイ装置１で放送受信用の信号処理モジュール２００の信号処理過程を示すフローチャートである。図２１に示すように、映像供給源１０からの所定の信号、例えば、放送信号が受信されると（Ｓ２１０）、信号処理部２２０は、該受信した信号を、既に設定された信号処理過程に従って処理する（Ｓ２２０）。次いで、処理された信号を外部のディスプレイ装置１００に伝送する（Ｓ２３０）。ディスプレイ装置１００のタイミング制御部１３２は、信号処理モジュール２００から受信された信号を表示パネル（図示せず）に表示するためのタイミング制御を行う（Ｓ２４０）。ディスプレイ部１３０は、タイミング制御された信号を表示パネルに表示する（Ｓ２５０）。このように、ディスプレイ装置１００では外部映像供給源から信号を受信して処理せずに、信号処理モジュール２００で処理された信号を受信して表示することができる。もちろん、外部映像供給源から映像信号を受信しても、該受信信号を処理することなく直に信号処理モジュール２００に伝送して処理するようにすることもできる。
【０２３５】
以下、図１２乃至図１７に示す本発明の他の実施例に係る放送受信装置１の放送受信方法について、図２２及び図２３を参照してより詳細に説明する。
【０２３６】
図２２は、本実施例に係る放送受信装置１において、ディスプレイ装置４００の信号処理過程を信号処理モジュール５００によりアップグレードする方法を示すフローチャートである。図２２に示すように、ディスプレイ装置４００は、映像供給源１０からの所定の信号、例えば、放送信号が受信されると（Ｓ３１１）、該信号を、既に設定されたシーケンスの信号処理過程（Ｓ３１２，Ｓ３１３，Ｓ３１４）によって処理する。同図に示す信号処理過程（Ｓ３１２，Ｓ３１３，Ｓ３１４）は、本発明の実施例をより簡潔に表現するためのいくつかの例示に過ぎず、実際にディスプレイ装置４００で具現される映像処理プロセスの全部を示しているわけではない。
【０２３７】
ディスプレイ装置４００は、受信される放送信号を映像信号、音声信号及び付加データに分類するデマルチプレクシングを行う（Ｓ３１２）。次いで、ディスプレイ装置４００は、デマルチプレクシングされた各信号に対する処理を行う。例えば、ディスプレイ装置４００は、映像信号を、既に設定された映像フォーマットにデコーディングする（Ｓ３１３）。ディスプレイ装置４００は、デコーディングされた映像信号をディスプレイ部４３０に映像として表示するように所定の解像度にスケーリングし（Ｓ３１４）、スケーリングされた映像信号を映像として表示する（Ｓ３１５）。
【０２３８】
これら一連のシーケンスのうち、信号処理モジュール５００は、ディスプレイ装置４００のデコーディングプロセスＳ３１３に対応するプロセスＳ３２３を行えるように構成される。信号処理モジュール５００が行えるデコーディングプロセスＳ３２３は、ディスプレイ装置４００が行えるデコーディングプロセス（Ｓ３１３）に比べて、デコーディングという動作側面では同一であるが、機能的にはより向上しているので、後者（Ｓ３１３）に代えて前者（Ｓ３２３）が行われる方が、映像処理プロセスの向上をもたらすことができる。
【０２３９】
例えば、前者（Ｓ３２３）では、後者Ｓ３１３で処理できないレベル以上の解像度を有する映像信号を処理できる、後者（Ｓ３１３）で処理できないフォーマットの映像信号を処理できる、または、後者（Ｓ３１３）で適用できない付加的効果が映像信号に適用されるように処理できる。
【０２４０】
したがって、本実施例に係る映像処理プロセスのシーケンスは、第１の制御部４６０または第２の制御部５６０の制御に応じて、デマルチプレクシング段階（Ｓ３１２）後に、ディスプレイ装置４００のデコーディング段階（Ｓ３１３）に代えて信号処理モジュール５００のデコーディング段階（Ｓ３２３）が行われる。信号処理モジュール５００のデコーディング段階（Ｓ３２３）後にはスケーリング段階（Ｓ３１４）が行われる。
【０２４１】
このようなシーケンスによってディスプレイ装置４００及び信号処理モジュール５００間には映像信号及び制御信号が送受信され、これは、第１の制御部４６０または第２の制御部５６０の制御によって行われる。
【０２４２】
一方、信号処理過程の一部のプロセスが代替された図２２の場合とは違い、信号処理モジュール５００の第２の信号処理部５２０がディスプレイ装置４００の第１の信号処理部４２０を代替する場合も可能であり、これについて図２３を参照して説明する。図２３は、本実施例に係る放送受信装置１で、第１の信号接続部６２０に受信される映像信号の伝送過程を示す構成ブロック図である。
【０２４３】
図２３に示すように、信号処理モジュール５００がディスプレイ装置４００に接続されていない場合に、映像信号が第１の信号接続部６２０に受信されると（Ｓ４３１）、該映像信号は第１の信号処理部４２０に伝達される（Ｓ４３４）。
【０２４４】
第１の信号処理部４２０は映像信号を処理してディスプレイ部４３０に出力し（Ｓ４３５）、ディスプレイ部４３０は第１の信号処理部４２０により処理された映像信号を映像として表示する。
【０２４５】
一方、信号処理モジュール５００がディスプレイ装置４００に接続されると、映像信号は、第１の信号接続部６２０に受信された後（Ｓ４３１）、第１の信号処理部４２０ではなく第２の信号処理部５２０に伝送される（Ｓ４３２）。第２の信号処理部５２０は、第１の信号処理部４２０に代えて映像信号に対する信号処理過程を行い、第２の信号処理部５２０により処理された映像信号は再びディスプレイ装置４００に伝送される（Ｓ４３３）。
【０２４６】
映像信号は、第１の信号処理部４２０に伝達されないようにバイパス（ｂｙｐａｓｓ）してディスプレイ部４３０に伝達され、これにより、ディスプレイ部４３０は、第２の信号処理部５２０により処理された映像信号を映像として表示する。
【０２４７】
一方、ディスプレイ装置４００及び信号処理モジュール５００の接続時に、第２の制御部５６０は第１の制御部４６０をディセーブルさせ、第１の信号処理部４２０及び第２の信号処理部５２０を制御することもできる。または、第２の記憶部５５０に保存された運営システムが、第１の記憶部４５０に保存された運営システムよりもバージョンアップ（ｖｅｒｓｉｏｎ−ｕｐ）された場合に、第１の記憶部４５０の運営システムを第２の記憶部５５０の運営システムにアップデートして、アップデートした運営システムを駆動させたり、または、第１の記憶部４５０の運営システムに代えて第２の記憶部５５０の運営システムを駆動させたりすることもできる。
【０２４８】
このような構成により、本実施例に係る信号処理モジュール５００はディスプレイ装置４００をアップグレードさせることができる。
【０２４９】
以上の実施例は例示的なものに過ぎず、当該技術の分野における通常の知識を有する者にとっては、様々な変形及び均等な他の実施例が可能であるということが理解できる。したがって、本発明の真の技術的保護範囲は、添付の特許請求の範囲に記載された発明の技術的思想によって定められるべきである。
【符号の説明】
【０２５０】
１    放送受信装置
１００，４００    ディスプレイ装置
１１０，２１０，４１０，５１０    信号受信部
１２０，２２０，４２０，５２０    信号処理部
１３０，２３０    ディスプレイ部
１４０    スピーカ
１５０，２５０，４５０，５５０    記憶部
１６０，２６０，４６０，５６０    制御部
１７０，２７０，４７０，５７０    電源供給部
３００，６００    ケーブル
６２０，６３０    信号接続部
６２５    信号接続線
６４０，６５０    電源接続部
６４５    電源接続線
【図１】
2013138426.tif 000003
【図２】
2013138426.tif 000004
【図３】
2013138426.tif 000005
【図４】
2013138426.tif 000006
【図５】
2013138426.tif 000007
【図６】
2013138426.tif 000008
【図７】
2013138426.tif 000009
【図８】
2013138426.tif 000010
【図９】
2013138426.tif 000011
【図１０】
2013138426.tif 000012
【図１１】
2013138426.tif 000013
【図１２】
2013138426.tif 000014
【図１３】
2013138426.tif 000015
【図１４】
2013138426.tif 000016
【図１５】
2013138426.tif 000017
【図１６】
2013138426.tif 000018
【図１７】
2013138426.tif 000019
【図１８】
2013138426.tif 000020
【図１９】
2013138426.tif 000021
【図２０】
2013138426.tif 000022
【図２１】
2013138426.tif 000023
【図２２】
2013138426.tif 000024
【図２３】
2013138426.tif 000025